(57)【要約】サンプルのマイクロ流体処理及び／又は分析のための、装置及び方法を含むシステム（１０）。当該システムは、基材（１６０）及び当該基材（１６０）上に形成された薄膜層（１９０）を有するマイクロ流体デバイス（１４）を備える。薄膜層（１９０）は、基材（１６０）上に形成された電子回路（５８）に含ませることができる。当該電子回路（５８）は、サンプルの特性を検出あるいは変更するように構成された電子素子をもたらすことができる。薄膜層（１９０）は、デバイス内の流体及び／又はサンプルの動きを誘導するための開口部（１８８）を画定する。
2006504974.tif 000002
【特許請求の範囲】
【請求項１】
サンプルに関する分析を実行するためのデバイス（１４）であって：基材（１６０）；及び前記基材（１６０）上に形成された薄膜層（１９０）を含んで成り、前記薄膜層（１９０）が、前記サンプルの特性を検出あるいは変更するように構成されている電子素子をもたらし、前記薄膜層（１９０）のうちの少なくとも１つが、前記デバイス（１４）内におけるサンプルの動きを誘導するための開口部（１８８）を画定する、デバイス。
【請求項２】
前記電子素子が、電極（１７２）、ヒータ及びセンサから成る群から選択される素子を含む、請求項１に記載のデバイス（１４）。
【請求項３】
前記電子素子が、前記サンプルを加熱すること、及び前記サンプルを電気的に移動させることのうちの少なくとも１つを実行するように構成されている、請求項１又は２に記載のデバイス（１４）。
【請求項４】
サンプルのマイクロ流体分析を実行するためのデバイス（１４）であって：基材（１６０）；及び前記基材（１６０）に接続されており、且つ前記デバイス（１４）から局部的に流体が流れ出ないように封止されているチャンバを少なくとも部分的に画定する流体障壁（１６３）；及び前記基材（１６０）上に形成された薄膜層（１９０）を含んで成り、前記薄膜層（１９０）が、前記チャンバと接続する開口部（１８８）を画定し、前記開口部が、前記チャンバに関して流体を誘導するように構成されている、デバイス。
【請求項５】
前記開口部（１８８）が、前記基材（１６０）の表面（１６２）を横切って前記サンプルを誘導する、請求項１〜４の何れか１項に記載のデバイス（１４）。
【請求項６】
前記基材（１６０）が対向する表面（１６２、１７６）を含み、前記基材が、前記開口部（１８８）と接続し且つ前記対向する表面（１６２、１７６）を流体連通させるチャネル（２０１）を画定する、請求項１〜５の何れか１項に記載のデバイス。
【請求項７】
前記デバイス（１４）が複数の区画を画定し、前記開口部（１８８）が前記区画のうちの少なくとも２つの間で前記サンプルを誘導する、請求項１〜６の何れか１項に記載のデバイス（１４）。
【請求項８】
前記薄膜層（１９０）が、概ね前記基材（１６０）と前記流体障壁（１６３）との間に配置される、請求項４〜７の何れか１項に記載のデバイス（１４）。
【請求項９】
前記薄膜層（１９０）が、前記基材（１６０）上に形成された複数の薄膜層のうちの１つであり、前記複数の薄膜層が、前記チャンバに動作可能に接続されている少なくとも１つの電子素子をもたらす、請求項４〜８の何れか１項に記載のデバイス（１４）。
【請求項１０】
前記チャンバが、濃縮チャンバ（６４）、増幅チャンバ（６６）及び検定チャンバ（６８）のうちの少なくとも１つである、請求項４〜９の何れか１項に記載のデバイス（１４）。
【請求項１１】
サンプル分析用のマイクロ流体デバイス（１４）を製造する方法であって：基材（１６０）上に薄膜層（１９０）を形成すること；開口部（１８８）を形成すべく、前記薄膜層（１９０）をパターニングすること；前記開口部（１８８）から前記基材（１６０）内に延在するチャネル（２０１）を作製すること；及び前記基材（１６０）に流体障壁（１６３）を取り付けて、前記デバイス（１４）から局部的に流体が出ないように封止されたチャンバを画定すること、を包含し、前記チャンバが、前記開口部（１８８）と接続している、方法。
【請求項１２】
前記薄膜層（１９０）が、前記基材（１６０）上に形成された電子回路（５８）内に含まれている、請求項１１に記載の方法。
【請求項１３】
前記電子回路（５８）が、前記チャンバに動作可能に接続されている、請求項１２に記載の方法。
【請求項１４】
或る区画を前記チャンバと流体連通させることによって、前記開口部（１８８）が前記チャンバと前記区画との間で流体を誘導できるようにすることをさらに包含する、請求項１１に記載の方法。
【請求項１５】
前記パターニングすることが、前記薄膜層（１９０）を露光すること、及びそのような露光に基づいて前記薄膜層（１９０）の領域を選択的に除去することを含む、請求項１１に記載の方法。
【請求項１６】
マイクロ流体デバイス（１４）を用いて、或る組成を有するサンプルを分析する方法であって：前記デバイス（１４）の第１の区画において前記サンプルの前記組成を変更すること；前記変更されたサンプルの少なくとも一部を、基材（１６０）上に形成された薄膜層（１９０）によって画定される開口部（１８８）を用いて、前記デバイスの第２の区画に誘導すること；及び前記第２の区画において前記サンプル部分を処理すること、を包含する、方法。
【請求項１７】
前記変更、前記誘導及び前記処理の工程が、分離された流体ネットワーク内で行われる、請求項１６に記載の方法。
【請求項１８】
前記サンプルが、廃棄物を含み、前記変更することが、前記廃棄物を少なくとも或る程度除去することを含む、請求項１６に記載の方法。
【請求項１９】
前記第１の区画及び前記第２の区画のうちの少なくとも一方が、流体連通している複数の区画である、請求項１６に記載の方法。
【請求項２０】
前記薄膜層（１９０）が、絶縁体である、請求項１６に記載の方法。
【発明の詳細な説明】
【技術分野】
【０００１】
【背景技術】
【０００２】
ゲノム配列決定及びプロテオミクスの急速な進歩によって、バイオテクノロジ分野における生物学的サンプル内の核酸を分析するための、より高速で、より効率的な装置の開発が押し進められてきている。したがって、バイオテクノロジ分野では、しばしばラボ・オン・ア・チップと呼ばれる、サンプル分析用の小型のマイクロ流体デバイスの開発に向けて大きな力が注がれてきている。そのようなデバイスは、ごく微量の流体サンプルを分析することができ、試薬及びサンプルをより経済的に利用できるようにするとともに、場合によっては、検定の速度を著しく速めることができる。中でも人体の健康状態の判定、遺伝子検査及び病原体検出は、これらのデバイスのおかげで、将来、臨床環境あるいは現場において非常に速やかに実行されるルーチン化された比較的低コストの手順となる可能性がある。さらに、これらのデバイスには、非生物学的サンプルの操作及び／又は分析に関する他の多くの用途がある。
【０００３】
エレクトロニクス産業の高度化にもかかわらず、マイクロ流体デバイスは、電子回路を十分に取り入れて、サンプルの電気的操作及び流体的操作を組み合わせるまでには至っていない。例えば、或る種のマイクロ流体デバイスは、サンプルを電気的に操作する能力に欠けている。この第１の種類のデバイスは、小容量の検定条件における制御及び監視には適さない場合がある。さらに、第１の種類のデバイスは、核酸のような帯電した分析物のサンプル分析を、電気的な操作によってもたらされる時間スケールで実行し得ない場合もある。第２の種類のマイクロ流体デバイスは、サンプル及び流体を電気的に操作することはできるが、電子制御はできない。この第２の種類のマイクロ流体デバイスは、流体／サンプルの電気的操作及び機械的操作を組み合わせ得るかもしれない。しかしながら、電子スイッチング能がないため、この第２の種類のマイクロ流体デバイスは、当該マイクロ流体デバイスの流体ネットワークに隣接して利用し得る小さな面積内で、高密度の電気デバイスを制御することはできない。したがって、この第２の種類のマイクロ流体デバイスもまた、小容量のサンプルを精密に操作する能力が不十分である。第３の種類のマイクロ流体デバイスは、サンプル及び流体を電子操作すべく、集積電子回路を備える。しかしながら、この第３の種類のデバイスは、実際上、電子回路をデバイス内の流体流路の構造内には取り入れていない。
【発明の開示】
【発明が解決しようとする課題】
【０００４】
サンプルのマイクロ流体処理及び／又は分析のための装置及び方法を含むシステムを提供する。
【課題を解決するための手段】
【０００５】
当該システムは、基材と、基材上に形成された薄膜層とを有するマイクロ流体デバイスを備える。薄膜層は、基材上に形成された電子回路に含ませることができる。電子回路は、サンプルの特性を検出あるいは変更するよう構成された電子素子を与えることができる。薄膜層は、デバイス内の流体及び／又はサンプルの動きを誘導するための開口部を画定する。
【発明を実施するための最良の形態】
【０００６】
サンプルのマイクロ流体操作及び／又は分析のための、装置及び方法を含むシステムを提供する。当該システムは、基材上に形成された薄膜層を有するマイクロ流体デバイスを備える。薄膜層はデバイス内で２つの役割を果たすことができる。１つの役割に関しては、薄膜層は、基材上に形成される電子回路の一部を形成することができる。電子回路は、回路近傍にある流体区画に入る流体及び／又はサンプルの特性を検出及び／又は変更するよう構成することができる。したがって、当該回路は、基材の表面付近に形成された１つあるいは複数の電極、ヒータ、温度センサなどを含むことができる。第２の役割に関しては、薄膜層は、流体区画と接続する開口部を画定することができる。当該開口部は、基材内に延在するチャネルの端部領域を画定する。当該チャネルは、基材の同じ側及び／又は反対側にある流体区画を流体連通させ得る。開口部は、基材内のチャネルの直径よりも小さな直径を有することができる。したがって、そのような開口部は、正確に寸法を画定し、配置することができるため、回路の製造時に画定される流体経路に基づいて、流体を、より柔軟且つ正確に誘導することができる。
【０００７】
以下の（Ｉ）一体型カートリッジを用いるマイクロ流体分析、（ＩＩ）マイクロ流体システム、（ＩＩＩ）サンプル及び（ＩＶ）検定の各セクションにおいて、さらに他の態様を提供する。
【０００８】
Ｉ．一体型カートリッジを用いるマイクロ流体分析
本セクションでは、サンプルを処理し且つ／又は分析するための、カートリッジ形態の、一体型マイクロ流体デバイスを含むマイクロ流体システムを説明する。本セクションはまた、当該デバイスを使用する方法も含む。カートリッジ及び方法に関するさらに別の態様は、後のセクションＩＩにおいて説明する。さらに、後に説明するカートリッジ及び方法の態様は、セクションＩＩＩにおいて説明する任意のサンプルに関して用いることができ、且つ／又はセクションＩＶにおいて説明する任意の検定を用いることができる。
【０００９】
図１〜図３は、サンプル、特に核酸を含むサンプルを処理及び分析するためのマイクロ流体システム１０の一実施形態を示している。図１及び図２は、それぞれシステムの外面図及び断面図を示している。図３は、システムの選択された形態を示しているシステム１０の概略図である。システム１０は、制御装置１２と、制御装置１２に電気的に接続されるように構成されている一体型カートリッジ１４とを構成要素として含んでいる。図１及び図２では、制御装置によって収容され、それゆえ制御装置内に設置され、位置決めされたカートリッジ１４が示されている。本明細書において用いられるとき、用語「カートリッジ」とは、より大きな制御装置内に設置されるように設計される小型のモジュール式ユニットを意味する。本明細書において用いられるとき、用語「設置される」とは、一般的にカートリッジを制御装置に少なくとも部分的に挿入することにより、カートリッジが制御装置と適切に接続されていることを意味する。したがって、制御装置１２は凹部１６を有しており、例えば、カートリッジ１４上にある電気的な接触パッド１８と凹部１６内に配置されている対応する接触構造２０との間の接触によって形成される電気的インターフェースを介して結合することにより、凹部１６はカートリッジ１４を接続できるように収容する（図２参照）。代替的に、制御装置１２は、任意の他の適切な構造を用いて、導電性結合、容量性結合及び／又は誘導性結合により、カートリッジ１４との電気的インターフェースを形成することができる。制御装置１２は任意の適切な寸法を有することができ、例えば、手持ちできるほど十分に小さいか、あるいは作業台あるいは床に置いて用いるほど大きい場合がある。
【００１０】
制御装置１２は、カートリッジ１４内の処理を制御するために、カートリッジ１４との間で制御信号を送受信するように構成されている。いくつかの実施形態においては、カートリッジ１４は検出用電子素子を構成要素として含んでいる。そのような電子素子を備える場合、制御装置は、検定結果を判定するために制御装置１２によって用いられる信号をカートリッジ１４から受信する。制御装置は、カートリッジ内の電子素子との電気的リンクを介して、及び／又はカートリッジとのインターフェースを有するセンサを介して、カートリッジ内の状態（例えば、温度、流量、圧力等）を検出し、制御することができる。代替的に、あるいはそれに加えて、制御装置１２は、カートリッジ上の情報記憶素子から情報を読み出し、例えばカートリッジによって収容される試薬、カートリッジによって実施される検定、許容範囲のサンプル量あるいは種類などのカートリッジについての情報を確認することができる。したがって、制御装置１２は、中でも電源／アース線、データ入力線、発射パルス線、データ出力線及び／又はクロック線を含む、セクションＩＩにおいて後述する入力線及び出力線のうちのいくつかあるいは全てを一般的にもたらす。
【００１１】
制御装置１２は、検定データの最終的な処理に加わるか、あるいは検定データを別の装置に転送することができる。制御装置１２は、例えば多数のデータポイント（例えば、テスト核酸とレセプタアレイとの結合から得られる（以下に記載している））の分析、及び／又はデータの数学的及び／又は統計的な分析などの結果を解釈することができる。代替的に、あるいはそれに加えて、制御装置１２は、検定データを、例えば、集中管理される装置のような別の装置に転送することができる。したがって、制御装置１２は、転送前に検定データを符号化することができる。
【００１２】
制御装置１２は、デジタル情報を処理するコントローラ２２を構成要素として含んでいる（図３参照）。コントローラは一般的に、２４、２６、２８の双方向の矢印によって示されている、制御装置１２及びカートリッジ１４が発揮する電気的、機械的及び／又は光学的な機能を調整するための電気信号を送受信する。
【００１３】
制御装置１２は、図３の２６で示すように、ユーザインターフェース３０を介してユーザと通信することができる。ユーザインターフェースは、キーパッド３２（図１参照）、画面３４、キーボード、タッチパッド、マウス等を含むことができる。通常は、ユーザインターフェースによって、ユーザはデータを入力及び／又は出力できるようになる。入力されるデータは、例えば、サンプル処理の開始を指示するために、サンプル処理を中止するために、種々の処理パラメータ（例えば、回数、温度、実行されることになる検定等）のための値を入力するためなどに用いることができる。処理の段階、カートリッジパラメータ、測定結果のような出力されるデータは、画面３４上に表示され、印刷装置（図示せず）に送出され、装置上のメモリに格納され、且つ／又は例えばパーソナルコンピュータのような別のデジタル装置に送信することもできる。
【００１４】
また制御装置１２は、カートリッジ１４との１つあるいは複数の光学的、機械的及び／又は流体インターフェースを含むことができる（図２及び図３参照）。光学的インターフェース３６は、カートリッジ１４に光信号を送信し、且つ／又はカートリッジ１４から光信号を受信することができる。光学的インターフェース３６は、カートリッジが制御装置１２と接続される際に、カートリッジ１４の光学的に透明な領域３８と位置合わせすることができる（図２及び以下に示す説明を参照）。したがって、光学的インターフェース３６は、１つあるいは複数の放出器と、カートリッジから光学的な情報を受信するための１つあるいは複数の検出器とを備える検出機構として機能する。そのような光学的情報は、カートリッジ内で処理することにより生成される検定結果に関連付けることができる。代替的に、あるいはそれに加えて、光学的インターフェース３６はサンプル処理の態様に関連し、例えば、光触媒化学反応、サンプル破壊、サンプル加熱等のための光源を提供することができる。いずれの場合でも、光学的インターフェース３６の動作はコントローラ２２によって指示することができ、図３の２４に示すように、対応する測定値がコントローラ２２によって受信され、それによって光学的インターフェース３６からの測定値が電子的に処理され、格納される。制御装置１２は、例えば、カートリッジを加圧するか、あるいは圧力を調整するために、１つあるいは複数の電子制御された機械的インターフェース（図示せず）を含むことができる。制御装置１２の例示的な機械的インターフェースには、例えば、１つあるいは複数のバルブアクチュエータ、バルブアクチュエータを制御するバルブレギュレータ、シリンジポンプ、ソニケータ及び／又は空気圧力源がある。いくつかの実施形態において、制御装置は、制御装置をカートリッジに流体連通させる１つあるいは複数の流体インターフェースを構成要素として含むことができる。例えば、制御装置は、流体を収容し、その流体をカートリッジに搬送する流体貯蔵室を含むことができる。しかしながら、ここに示す制御装置１２は、カートリッジ１４と流体連通するように構成されていない。代わりに、本実施形態では、動作中には、閉じたあるいは分離された流体システム、即ちサンプルが受容された後には、流体がネットワークに実質的に追加されたり、ネットワークから除去されたりしない流体ネットワークである。マイクロ流体システム内の光検出、ならびに機械的インターフェース及び流体インターフェースのさらに別の形態は、セクションＩＩにおいて後述する。
【００１５】
カートリッジ１４は必要に応じた構成及び寸法を有することができる。いくつかの実施形態においては、カートリッジ１４は使い捨てであり、即ち１つのサンプルあるいは１組のサンプルを（一般的に同時に）分析するために一度だけ使用することを目的とする。カートリッジ１４の寸法は、実施すべき検定、操作すべき流体容積、カートリッジの流体以外の容積等によって決定することができる。しかしながら、カートリッジ１４は一般的には、片手で容易に掴むことができ、且つ操作することができるほど十分に小さい（あるいはさらに小さい）。
【００１６】
カートリッジ１４は通常、少なくとも２つの構造的及び機能的に異なる構成要素、即ち流体ハンドリング部４２と検定（あるいはチップ）部４４とを構成要素として含んでいる。流体ハンドリング部は、例えばバルブ及びポンプを動作させるために、制御装置との機械的な外部インターフェースを形成するハウジング４５を備えることができる。ハウジングは内部流体区画の構造を画定することができる。また、ハウジング４５は、カートリッジの外部構造を概ね画定することができ、それゆえ、ユーザが手持ちするための掴み面を与えることができる。検定部４４は、流体ハンドリング部４２に、例えば、流体ハンドリング部４２の外部あるいは内部表面上に固定して取り付けることができる。例えば、光学的インターフェース３６を用いる場合のように、結果が光学的に測定されるときには、検定部４４を外部に取り付けることが適している。結果が電気的に測定されるとき、あるいは流体ハンドリング部４２が透明であるときには、内部及び／又は外部に取り付けることが適している。後に記載するように、検定部４４も通常は流体ハンドリング部４２に流体連通しており、これら２つの部分間で流体が行き来できる。
【００１７】
このように、流体ハンドリング部４２は、カートリッジの外部から流体を受容し、その流体を収容し、例えば、機械的に流体を流動させることにより、流体ハンドリング部４２及び検定部４４の両方の流体区画にその流体を搬送するように構成することができる。したがって、流体ハンドリング部は、検定部４４の対応する流体ネットワーク（あるいは流体空間）４８よりも著しく大きな流体容量（容積）を有する流体ネットワーク４６を画定することができる。各流体ネットワークは１つの流体区画、より一般的には、複数の流体連通している流体区画、一般的には流体導管によって接続されるチャンバを有することができる。
【００１８】
流体ハンドリング部４２は、サンプル入力サイトあるいはポート５０を構成要素として含んでいる。サンプル入力サイト５０は一般的に外部からアクセス可能であるが、サンプルがそのサイトに導入された後に封止することができる。１つのサンプル入力サイト５０を含むカートリッジ１４が示されているが、流体ハンドリング部４２は、任意の適切な数のサンプル入力サイトを構成要素として含むことができる。
【００１９】
また流体ハンドリング部４２は、支援試薬を収容するための１つあるいは複数の試薬貯蔵室（あるいは流体貯蔵チャンバ）５２も備える（図３参照）。試薬貯蔵室５２はそれぞれ外部からアクセス可能であり、それによって流体ハンドリング部が製造された後に、試薬を取り込むことができる。代替的に、製造中に、試薬貯蔵室５２のうちのいくつかあるいは全てが試薬を取り込むこともできる。支援試薬は一般的に、サンプル処理、分析及び／又はカートリッジ１４の全般的な動作に関連する任意の流体溶液あるいは混合物を含有している。
【００２０】
また流体ハンドリング部４２は、予備処理チャンバ５４及び／又は廃棄物チャンバ５６のような、１つあるいは複数のさらに別のチャンバを構成要素として含むこともできる。予備処理チャンバ５４及び廃棄物チャンバ５６は、例えば、サンプル入力サイト５０及び／又は試薬貯蔵室５２を介して内部だけからアクセス可能であるか、あるいは、その１つあるいは複数が、外部からユーザによってアクセスされる。予備処理チャンバ１５４は、一般的に流体の流れに応じて、サンプルの組成を幾分変化させるように構成されている流路である。例えば、そのような流路は、分析物（例えば核酸）を、入力されるサンプルから単離することができ、即ち、以下に記載するように、分析物を廃棄物あるいはそのサンプルの廃棄部分から少なくともある程度分離することができる。流体ハンドリング部のさらに別の形態は、セクションＩＩにおいて後述する。
【００２１】
好ましい実施形態では、流体ハンドリング部４２、及び実際にはカートリッジ１４の全ての流体区画は、サンプル入力５０を除いて、顧客がアクセスできないように封止されている。該封止は、試薬が汚染される可能性を回避し、安全性を確保し、且つ／又は流体ハンドリング部４２からの流体の損失を防ぐための役割を果たす。試薬のうちのいくつか、及び／又は予備処理及び／又はさらに別の処理の結果として生成される処理に伴う副生物は有毒であるか、そうでなくても、試薬又は副生成物が漏出し、且つ／又はユーザに触れる場合には、ユーザにとって有害な場合がある。さらに、試薬のいくつかは非常に高価であり、それゆえ、カートリッジ１４内における供給量は最小限のものとなっている。したがって、カートリッジ１４の好ましい実施形態は、一体型で、封止されており、使い捨てのカートリッジであり、流体インターフェースはサンプル入力５０のみであり、電気的インターフェース１８と、任意選択の機械的、光学的及び／又は音響的インターフェースとを有するカートリッジである。
【００２２】
検定部４４は、流体ハンドリング部４２で核酸が単離された後に、流体ネットワーク４８内の核酸をさらに処理するように構成されている。したがって、検定部４４は電子素子あるいは電子回路５８を基礎とし、それは、流体ハンドリング部４２から受容する核酸の処理を制御して、処理しやすくするために、薄膜電子素子を含むことができる。それに対して、検定部４４内の大量の流体の流れは、流体ハンドリング部４２から機械的に流動させた流体によって媒介され、検定部４４を通って、流体ハンドリング部４２に戻ることができる。
【００２３】
検定部の電子回路５８は、流体及び／又は分析物の特性を変化させ、及び／又は検出するための薄膜電子素子を含むことができる。そのような薄膜素子の例示的な役割は、単離された核酸を濃縮すること、その核酸を種々の反応チャンバ及び／又は検定サイトに移動させること、反応条件（例えば、増幅、レセプタへのハイブリダイゼーション、二本鎖核酸の変性などにおいて）を制御することなどを含む（セクションＩＩ参照）。薄膜素子は、流体ネットワーク４８の任意の領域に動作可能に接続することができる。動作可能な接続とは、例えば、電極で流体と直に接触させるか、あるいは１つあるいは複数の絶縁性薄膜層によって流体から隔置するかがある（以下を参照）。いずれの場合でも、動作可能に配置される素子は、基材の表面付近に配置される（以下を参照）。電子回路、薄膜層及び基材のさらに別の形態は、このセクション及びセクションＩＩにおいて後述する。
【００２４】
検定部４４の電子回路５８は、制御装置１２と電気的に接続されることによって、少なくとも部分的に制御される。例えば図３に示しているように、コントローラ２２は、接触構造２０を介して、２８に示すように、カートリッジ１４の流体ハンドリング部４２上に配置されている接触パッド１８と接続することができる。接触パッド１８はさらに、６０で示すように、電子回路５８と電気的に接続することができる。回路５８をさらに複雑にし、且つ／又はカートリッジ１４上にある個別の接触パッド（あるいは部位）の数を最小限に抑えるために、１つあるいは複数の付加的な集積回路あるいはインターフェース回路が、回路５８への中間にある接触パッド１８に電気的に接続することができる。こうして、接触パッドは単体で、あるいはインターフェース回路と組み合わさって、カートリッジが制御装置内に設置されるときに、電子回路をコントローラに電気的に接続する相互接続回路を形成する。また接触パッドは、カートリッジ１４に、例えば図示されるように、流体ハンドリング部４２に配設されている電子情報記憶素子６２に接続することもできる。情報記憶素子は、流体ネットワーク構成、貯蔵室内容量、検定能力、検定パラメータのような、カートリッジに関連する情報を格納することができる。別の実施形態では、接触パッド１８あるいは他の電気的接続構造物を、流体ハンドリング部４２内に収容する代わりに、あるいはそれに加えて、検定部４４上に配置することができる。
【００２５】
検定部４４は通常、少なくとも部分的に回路５８の動作によって、流体ネットワーク４８において核酸処理を実施するように構成されている。ここでは、流体ネットワーク４８は３つの機能的な区画、即ち濃縮器６４と、増幅チャンバ６６と、検定チャンバ６８とを含むように示されている。以下にさらに詳細に記載するように、これらの機能区画はそれぞれ、核酸の保持及び解放（及びこれらによる濃縮）を容易にし、且つ／又は電極のサブセットに向けて核酸を移動させるのを容易にするための電極を構成要素として含むことができる。濃縮器６４及びチャンバ６６、６８は、図示されるように、異なる区画／流路によって、例えば、一連の区画のアレイとして画定することができる。代替的に、これらの機能区画は部分的に、あるいは完全に重なり合うことができ、例えば１つのチャンバによって全てを設けることができる。
【００２６】
濃縮器６４は、予備処理チャンバ５４から受容する核酸を濃縮するように構成されている。濃縮器６４の電極は、電気的に正にバイアスをかけることができ、一方、流体は流体ハンドリング部４２から、濃縮器を通って、流体ハンドリング部４２内の廃棄物チャンバ５６に戻される。したがって、濃縮器６４は、複数の個別のサイトにおいて流体ハンドリング部４２に流体連通させることができ（図５〜図１１参照）、それにより濃縮器は導管としての役割を果たすことができるようになる。導管によって、濃縮器の流体容量よりもはるかに大きな流量を（２つの流体ハンドリング部の貯蔵室間で）移送できるようになる。この処理ステップは流体を除去し、且つ、例えば正に帯電しているか、帯電していないか、あるいは弱く負に帯電している物質を除去することにより、核酸をある程度精製することができる。
【００２７】
増幅反応を用いて検定感度を上げることにより、増幅チャンバ６６を用いて濃縮された核酸の中から１つあるいは複数のターゲット核酸（あるいは複数の核酸）を複製することができる。増幅反応は一般的に、ターゲット核酸の分子の全数（あるいはターゲット種内に含まれるある部位）を増加させる任意の反応を含み、結果として一般的に、核酸全体に対してターゲット核酸が濃縮される。ＤＮＡを複製する酵素、ＤＮＡからＲＮＡを転写する酵素及び／又はテンプレートによって誘導されるプライマーの連結をおこなう酵素は、増幅反応を媒介することができる。方法及び用いられる酵素にもよるが、増幅には、熱サイクル性のもの（例えば、ポリメラーゼ連鎖反応（ＰＣＲ）あるいはリガーゼ連鎖反応（ＬＣＲ））、あるいは等温性もの（例えば、鎖置換増幅（ＳＤＡ）あるいは核酸配列に基づく増幅（ＮＡＳＢＡ））がある。これらのうちの何れの方法の場合においても、チャンバ６６内の温度制御は、回路５８に含まれている薄膜ヒータのようなヒータによって行うことができる。例えば、標識化されたプライマーあるいはヌクレオチドを組み込むことにより、核酸は増幅中に標識化され、検出が容易となる。プライマーあるいはヌクレオチドは、セクションＩＩにおいて後述され、表１に列挙されているように、色素、放射性同位元素あるいは特異結合部材で標識化することができる。代替的に、核酸は、個別の処理ステップにおいて（例えば、末端転移酵素、プライマー伸長、親和試薬、核酸色素等）あるいはサンプルを入力する前に標識化することができる。そのような個別の標識化は、例えば、十分な量のターゲット核酸が、入力されたサンプル内に含有しており、増幅ステップが省略される場合に適している。
【００２８】
検定チャンバ６８は、特定の配列、長さ及び／又は配列モチーフの存在によって核酸を分離あるいは識別する処理ステップを実施することができる。いくつかの実施形態において、検定チャンバは、核酸のための１つあるいは複数の特定のレセプタを含んでいる。レセプタは、ターゲット核酸に特異的に結合する任意の試薬を含むことができる。例示的なレセプタとして、一本鎖核酸、ペプチド核酸、抗体、化合物、ポリマー等がある。レセプタはアレイ内に配置されており、一般的には所定の位置に固定化することができ、結果として、ターゲット核酸をレセプタのうちの１つに結合させることで、検定チャンバ内の所定の位置において、検出可能な信号が発生する。したがって、増幅が利用される場合、増幅された核酸（ターゲット）は、結合を検査するために各レセプタと接触する。以下にさらに詳細に記載するように、レセプタアレイは、ターゲットを該レセプタアレイ上に電気的に濃縮させる電極に隣接して、配置することができる。別の実施形態では、検定チャンバは、例えば、電気泳動及び／又はクロマトグラフィを用いて、寸法に応じてターゲット核酸を分離することができる。代替的に、あるいはそれに加えて、検定チャンバは、例えば分子標識プローブなどの固定化されていないレセプタを設けることができ、且つ／又はレセプタを用いない検出用のサイトを設けることができる。
【００２９】
光学的インターフェース３６は、検定部４４の任意の適切な場所においてサンプル処理を測定することができる。例えば、上記のように、光学的インターフェースは、増幅チャンバ６６内の核酸の増幅を測定するための放出器−検出器対と、検定チャンバ６８において処理した後の増幅された核酸の結合及び／又は位置を検出するための放出器−検出器対とを別々に含むことができる。代替的に、あるいはそれに加えて、光学的インターフェースは、チップ流体ネットワーク４８中の流体の動きを測定することができる。
【００３０】
図３は、７０の太い矢印によって示されるように、サンプル処理中に流体ネットワーク４６及び４８内を流れる流体（試薬及び／又はサンプル）の動きの例示的な方向を示している。一般的に、流体は、試薬貯蔵室５２から、サンプル入力サイト５０及び予備処理チャンバ５４を通って、廃棄物チャンバ５６及び検定部４４まで流れる（以下を参照）。流体ハンドリング部４２から検定部４４に入る流体は、廃棄物チャンバ５６に戻されるか、検定部内の他の流体区画に移される。
【００３１】
図４に、制御装置１２を用いてカートリッジ１４を操作し、サンプル内のターゲット核酸（を分析するための例示的な方法８０のフローチャートを示す。最初に、８２に示すように、例えば注入によって、サンプルをカートリッジ１４のサンプル入力サイト５０において導入する（取り込む）ことができる。次に、８４に示すように、例えば、導電接触させるためにカートリッジを凹部１１６に接続することにより、サンプルを含むカートリッジを、制御装置１４に電気的に接続することができる。８６に示すように、そのような取込み及び接続は逆の順序で実行することもでき、即ち、カートリッジを制御装置に接続した後に、サンプルをカートリッジに導入することもできる。その後、カートリッジは、８８に示すように、処理を開始するために起動される。カートリッジは、ユーザインターフェース３０を介するユーザからの入力、カートリッジの制御装置への接続、サンプルの導入、且つ／又はその他の行為によって起動することができる。起動後、９０に示すように、サンプルは予備処理される。予備処理は一般的には、以下にさらに記載するように、サンプルを予備処理チャンバ５４に移動させ、必要に応じて、サンプルを処理して核酸を遊離及び単離する。単離された核酸は、一般的に流体を機械的に流動させることにより、検定部４４内の濃縮器６４に移され、９２に示すように、濃縮される。濃縮された核酸は、対象の核酸をターゲットとするプライマーを用いて、９４に示すように、必要に応じて選択的に増幅することができる。次に、増幅された核酸は、９６に示すように、例えば、レセプタあるいはレセプタアレイを増幅された核酸に接触させることによって、検定することができる。その後、９８に示すように、検定結果を光学的に且つ／又は電気的に検出することができる。
【００３２】
図５は、カートリッジ１４の流体ハンドリング部４２及び検定部４４においてそれぞれ相互に接続される流体ネットワーク４６及び４８によって形成される例示的な自給式流体ネットワーク１０２のさらに詳細な図を示している。チャンバは長方形、あるいは円として表されている。チャンバを相互に接続するチャネル１０４は、平行な線によって表される。図に示しているように、チャネル１０４は、流体ハンドリング部４２と検定部４４と間の境界部１０５を横切る場所において、その２つの部分を流体連通させる。バルブ１０６は、塗り潰した「ボータイ」（閉じたバルブ）あるいは白抜きのボータイ状の印（開いたバルブ：以下を参照）によって表される。バルブは通常は電気的に駆動し、それゆえ、制御装置１２に電気的に接続される（図示せず）。代替的に、あるいはそれに加えて、バルブは、制御装置１２上の電気作動式のバルブアクチュエータ／レギュレータによって機械的に操作することができる。例示的なバルブとして、ソレノイドバルブ及びシングルユースバルブが挙げられる。ガス選択ベント１０８は、終端されたチャネル上にある薄い長方形によって表される（例えば、検定チャンバ６８上のベントを参照）。適切なバルブ及びベントは、セクションＩＩにおいてさらに記載する。
【００３３】
図５は、サンプルを受容し、起動する準備がなされたカートリッジを示している。したがって、カートリッジは、流体を表している点描によって示しているように、試薬貯蔵室５２内に試薬を予め取り込んでいる。試薬を予め取り込んでいる試薬貯蔵室５２は、適切なｐＨ、緩衝性能、イオン強度、溶媒組成等を有している洗浄溶液１１０、１１２を収容することができる。また、１つあるいは複数の貯蔵室５２は溶解試薬１１４を収容することもでき、溶解試薬１１４には、例えば、カオトロピック剤、高いあるいは低いイオン強度の緩衝剤、１つあるいは複数のイオンあるいは非イオン洗浄剤、有機溶媒等が含まれる。さらに、１つあるいは複数の貯蔵室５２は、例えばＰＣＲ混合物１１６などの増幅混合物、あるいは１つあるいは複数の増幅試薬を含有している任意の他の混合物を収容するができる。一般的には、対象の核酸に選択的にハイブリダイズする任意の核酸を増幅試薬として用いることができる。
【００３４】
ＰＣＲ混合物１１６は一般的に、適切な緩衝剤、Ｍｇ２＋、ターゲット核酸を選択的に増幅するための特異なプライマー、ｄＮＴＰ、熱安定ポリメラーゼ等を含有している。１つあるいは複数のプライマー及び／又はｄＮＰＴは、上記のように、例えば色素あるいはビオチンで標識化される。ＰＣＲ混合物１１６の代わりに、カートリッジによって実施される増幅方法に基づいて、任意の他の適切な増幅混合物を用いることもできる。さらに、ＲＮＡを分析するために、ＰＣＲ混合物は逆転写酵素を含有することもできる。代替的に、一般的には増幅前に、ＲＮＡをテンプレートとして用いて相補的なＤＮＡの合成を行うための試薬を、個別の貯蔵室によって供給することができる。
【００３５】
試薬貯蔵室５２は、流体を機械的に流動させることにより、流体を移送するように構成されることができる。例えば、試薬貯蔵室５２は折り畳み式バッグの構造をとることができ、ばねあるいは他の弾性構造体が各バッグに正圧をかけることができる。別法では、試薬貯蔵室５２はガスで加圧されることができる。どのような加圧機構であっても、バルブ１０６を操作して、各貯蔵室からの試薬の移送を選択的に制御することができる。セクションＩＩは、機械的に流体を流動させるための、さらに別の例示的な機構を説明する。
【００３６】
カートリッジ１４は、種々の機能を果たす内部チャンバを構成要素として含んでいる。内部チャンバには廃棄物チャンバ５６が含まれ、本形態では、Ａ及びＢで示される２つの廃棄物チャンバが含まれている。廃棄物チャンバ５６は、試薬貯蔵室５２（及びサンプル入力５０）から流体を受容し、それゆえベント１０８を含み、ガスを廃棄物チャンバから排気することができる。内部チャンバ（流路）は、サンプルチャンバ１１８と、フィルタスタック１２０と、チップチャンバ６４、６６、６８とを構成要素として含むことができる。サンプルチャンバ１１８及びフィルタスタック１２０はそれぞれ、以下にさらに記載するように、サンプルを受容し、それを予備処理するように構成されている。検定チャンバ６８は、調整ベント１２２によって、即ちベント１０８を制御するバルブ１０６によって排気することができる。内部チャンバ及び／又はチャネル１０４のうちのいくつかあるいは全てが、例えば、カートリッジ製造の一部として、適切な流体によって下塗りされる。詳細には、検定部４４のチャンバ／チャネルが下塗りされる。それに対して、いくつかのチャンバ及び／又はチャネルは、カートリッジ起動前に下塗りされない場合がある。
【００３７】
図６は、サンプルを取り込んでいる段階におけるカートリッジ１４内での流体の動きに関する活動領域を示している。この図、及び図７〜図１０では、濃い点描は活動領域を示すのに対して、薄い点描はカートリッジ内の他の場所にある貯蔵室内の試薬あるいは廃棄物を示す。液状サンプルのようなサンプルは、サンプル入力サイト５０で取り込まれ、１２４で示される経路に概ね沿って、サンプルチャンバ１１８によって受容される。取り込むことができるサンプルの量は、ここでは、サンプルチャンバ１１８上にあるベント１０８と、サンプルチャンバ１１８の容量とによって制限される。一旦、サンプルチャンバ１１８が満たされたなら、ベント１０８は、それ以上のサンプルの導入を制限する逆圧を与えることができる。代替的に、あるいはそれに加えて、サンプル容量に達した時点を知らせるために、サンプルチャンバ１１８内に、あるいはその周囲に、電気的あるいは光学的な流体センサを配置することができる（図示せず）。サンプルチャンバ１１８の下流にあるバルブ１２６によって、この時点でサンプルがフィルタスタック１２０に流れるのを防ぐことができるか、あるいは、例えば、廃棄物チャンバＡを通して排出することで、サンプルを、サンプル入力サイト５０からフィルタスタック上にそのまま取り込むことができる。
【００３８】
サンプルは任意の適切な形態、例えばセクションＩＩＩにおいて後述する任意のサンプルとし得る。しかしながら、ここに示すカートリッジの実施形態は、核酸１２７を分析するように構成されているので、サンプルは一般的に核酸、即ちＤＮＡ及び／又はＲＮＡを含有しており、即ち核酸を搬送するように懸濁している。核酸１２７は、組織あるいは生物学的粒子において搬送され、それらからの抽出物内に存在し、且つ／又は部分的にあるいは完全に精製されている。細胞１２８、ウイルス及び細胞小器官が例示的な生物学的粒子である。取り込まれるサンプルの量は、サンプルの利用性、少量を取り扱うことの容易性、サンプル内のターゲット核酸存在量及び／又はカートリッジ容量等に基づき、任意の適切な量にすることができる。
【００３９】
図７は、サンプルを予備処理している段階における、カートリッジ１４内の流体の動きに関する活動領域を示している。溶解試薬１１４は、バルブ１３０、１３２、１３４を開くことにより、経路１２９に沿って導入することができる。こうして、溶解試薬は通常は、核酸１２７を含有しているサンプルを、サンプルチャンバ１１８からフィルタスタック１２０にまで搬送する。余分な流体は廃棄物チャンバＡに搬送することができる。フィルタスタックは一般的に、核酸の単離、即ちサンプル廃棄物からの少なくとも部分的な分離を行うように構成されており、その分離は少なくとも３つの機能、即ち粒子濾過、サンプルからの核酸の遊離及び遊離された核酸の保持のうちの任意の機能あるいは全ての機能によって行われる。ここでは、廃棄物は、対象の核酸に相当しない、任意のサンプル由来の成分、合成物、凝集物あるいは粒子と定義される。例示的な廃棄物として、細胞片あるいはウイルス片、壊れていない細胞あるいはウイルス粒子、細胞膜、細胞質成分、核酸以外の可溶性物質、核酸以外の不溶性物質、対象ではない核酸等が挙げられる。また廃棄物は、核酸を濃縮するために除去される、サンプル由来の流体を含む。
【００４０】
濾過には、細胞、粒子、細片等を機械的に保持するフィルタによって実行される任意の寸法選択プロセスを用いることができる。したがって、フィルタスタックは、分離処理のためにサンプル粒子（細胞、ウイルス等）を局在化させることができ、カートリッジ流体ネットワーク１０２内の後続の処理及び／又は流体の流れを妨害する恐れがある微粒子を除去することもできる。この最初の目的のために適したフィルタとして、小細孔膜、繊維フィルタ、細幅チャネル等が挙げられる。１つあるいは複数のフィルタをフィルタスタックに含むことができる。いくつかの実施形態において、フィルタスタックは、流体が流れる方向に沿って除去能が向上する一連のフィルタを含むものもある。そのような一連の配列によって、フィルタが粒子で目詰まりを起こす頻度を低減させることができる。
【００４１】
フィルタスタック１２０上に保持されているサンプルを、サンプル内の未処理、且つ／又は利用しにくい形態から核酸１２７を遊離する処理にかけることができる。代替的に、あるいはそれに加えて、遊離処理は、フィルタスタック上にサンプルを保持する前に実行される場合がある。その処理によって、細胞表面、核及び／又はミトコンドリア膜の完全性を変化させることができ、且つ／又は、特に細胞以下の構造体を構成要素に分解することができる。例示的な遊離処理として、圧力変化（例えば、音波又は超音波／パルスあるいはフレンチプレスの場合のようなチャネル細幅化によって生じる圧力降下）、温度変化（加熱及び／又は冷却）、例えば電圧パルスなどの電気的処理、例えば洗浄剤、カオトロピック剤、有機溶媒、高塩あるいは低塩などを用いる化学的処理、流体区画内の突起（スパイクあるいは鋭いエッジ等）が挙げられる。ここでは、核酸を搬送する細胞１２８から遊離された後の核酸１２７が示されている。
【００４２】
核酸の保持は一般的にフィルタの下流で実施される。核酸保持は、核酸１２７を可逆的に結合する保持マトリクスによって行われる。この第２の機能のために適した保持マトリクスとして、特にビーズ、粒子及び／又は膜が挙げられる。例示的な保持マトリクスには、正に帯電している樹脂（イオン交換樹脂）、活性シリカ等を含むことができる。一旦、核酸１２７が保持されたら、さらに別の溶解試薬あるいは洗浄溶液を、保持された核酸１２７に流し、保持されていない夾雑物を除去することができる。
【００４３】
図８は、フィルタスタック１２０から核酸１２７を遊離し、検定部４４の濃縮チャンバ６４において、解放された核酸１２７を濃縮する際のカートリッジ１４内の流体の動きに関する活動領域を示している。流体は、１１０で示される洗浄溶液Ａから、サンプルチャンバ１１８及びフィルタスタック１２０を通って、流体経路１３６に沿って、もう１つの廃棄物チャンバ、即ち廃棄物チャンバＢまで流れる。経路１３６に沿って流動を開始するために、バルブ１３０及び１３４が閉じられ、バルブ１３２は開いた状態のまま、バルブ１３８及び１４０が開かれる。洗浄溶液Ａは、フィルタスタック１２０内に保持された核酸１２７を解放するように構成することができる（図７参照）。したがって、核酸１２７がフィルタスタック内の保持マトリクスによって保持される機構に基づいて、洗浄溶液Ａは配合されている。保持されている核酸を遊離するための洗浄溶液は、例えば、流体のｐＨ、イオン強度及び／又は誘電率を変化させることができる。例示的な洗浄溶液は、高いあるいは低いｐＨ、高いあるいは低いイオン強度、有機溶媒等を含有している。予備処理によって、サンプルに由来する核酸の第１段階の濃縮及び精製が行われる。
【００４４】
遊離された核酸１２７は、濃縮チャンバ６４においてさらに濃縮（及び精製）することができる。濃縮チャンバ６４は通常検定部４４内に形成されており、１つあるいは通常複数の電極を備える。その電極のうちの少なくとも１つは、遊離された核酸が濃縮チャンバ６４に入る前に、あるいは入る際に、電気的に（正に）バイアスをかけることができる。結果として、濃縮チャンバ６４内に流入する核酸１２７は、正にバイアスをかけられた電極に引き付けられ、それにより保持される。核酸１２７を搬送する大量の流体と、それに加えられる洗浄溶液Ａは、廃棄物チャンバＢまで継続して流すことができる。したがって、核酸１２７は濃縮され、濃縮チャンバ６４内に保持されることによってさらに精製される。この核酸１２７の濃縮によって、検定部４４は非常に小さな容積の流体区画、例えば、約１マイクロリットル未満の流体容量を有し、処理が行われる区画を有することができる。電極の構造、数、配置及びコーティングのさらなる態様を以下に記載する。
【００４５】
図９は、濃縮された核酸を検定部４４の増幅チャンバ６６に移送する段階における、カートリッジ１４内の流体の動きに関する活動領域を示している。図示するように、通常流体は、ＰＣＲ混合物１１６を保持しているチャンバ５２から、流体経路１４２に沿って、増幅チャンバ６６まで流れる。経路１４２に沿って流体を流動させるために、濃縮チャンバ６４において保持用の正のバイアスが電極から除去されたときに、バルブ１３８及び１４０が閉じられ、バルブ１４４及びベントバルブ１２２が開かれる。ＰＣＲ混合物１１６は、流体を流動させることにより核酸１２７を搬送することができる。代替的に、増幅チャンバ６６内の電極に正のバイアスがかけられ（以下を参照）、ＰＣＲ混合物１１６が予め取り込まれている増幅チャンバ６６に、核酸１２７を電気泳動によって移送することができる。いずれの場合でも、増幅チャンバ６６からの、及び検定チャンバ６８への余分な流体の流れは、例えば、接続用のチャネル１４６内の流体レベルを監視し、ベントバルブ１２２を閉じる適切な時点を知らせる電気あるいは光センサ（図示せず）によって制限することができる。いくつかの実施形態において、核酸１２７を増幅チャンバ６６に移動させる前には、濃縮チャンバ６４は、ＰＣＲ混合物１１６によってある液面が保持されている。例えば、濃縮チャンバ６４内の保持用の正のバイアスが解除されベントバルブ１２２が開く前は、ＰＣＲ混合物１１６は、開いているバルブ１４０を通って廃棄物チャンバＢに誘導される。増幅チャンバ６６内に位置する核酸１２７は、例えば、核酸１２７中の対象の核酸ターゲット（あるいはターゲット部位）１４７の量を選択的に増加させるために、等温インキュベーションあるいは熱サイクルによって増幅するか、場合によっては、増幅されないままとし得る。
【００４６】
図１０は、増幅された核酸１４７を検定部４４の検定チャンバ６８に移送する段階における、カートリッジ１４内の流体の流れに関する活動領域を示している。流体は、洗浄溶液Ｂを保持するチャンバ５２から検定チャンバ６８まで流体経路１４８に沿って流れる。流体経路１４８は、バルブ１５０及びベントバルブ１２２を開くことにより開通させることができる。検定チャンバ６８は、例えば、ベントバブル１２２上のベント１０８によって、あるいは、特に流体の位置を監視し、バルブ１５０を閉める信号を発するセンサによって、溢れないように制限することができる。上記のように、核酸１２７及び増幅されたターゲット核酸１４７は、流体を流動させることにより、且つ／又は検定チャンバ６８内に配置されている電極を用いて電気泳動させることにより移送することができる（以下を参照）。いくつかの実施形態では、ベントバルブ１２２を閉じ、バルブ１４０、１５０を開き、それにより、洗浄溶液Ｂを増幅チャンバ６６及び濃縮チャンバ６４を通して廃棄物チャンバＢに誘導することにより、増幅チャンバ６６は最初に洗浄溶液Ｂによって液面が保持されている。代替的に、あるいはそれに加えて、増幅された核酸１４７は、検定溶液が予め取り込まれている検定チャンバ６８に電気泳動により移送することができる。
【００４７】
増幅されたターゲット核酸１４７（及び単離された核酸１２７）は、検定チャンバ６８において検定することができる。例えば、検定チャンバ６８は、セクションＩＩにおいて記載するように、核酸を同定及び／又は定量するために配置されている１つあるいは複数のレセプタ（位置アレイ）を備えることができる。増幅された核酸１４７のレセプタへのハイブリダイゼーションは、検定チャンバ６８内のレセプタ付近に配置されている電極によって促進することができる。この電極は、増幅された核酸をアレイの個々の要素（あるいは小群）に誘導するため、順に正のバイアスをかけることができる。特異的結合あるいはハイブリダイゼーションを可能にするために、増幅されたターゲット核酸１４７を、アレイの多くの場所あるいは全ての場所に電気泳動により移動させた後に、結合されていない、あるいはハイブリダイズされていない核酸を、電気泳動により、及び／又は流体を流動させることにより除去することができる（ここでは示していない）。
【００４８】
図１１及び図１２は、検定部４４の特定の形態を示しており、それぞれ外部カートリッジ１４からみた平面図、及び断面図を示す。検定部４４は基材部分１５８を含んでいる。基材部分１５８は、検定部の流体区画を少なくとも部分的に画定している。基材部分は基材１６０を含むことができる。また基材部分は、基材上に形成されており、基材の表面１６２付近に配置されている電子回路５８及び／又は薄膜層を含むこともできる。回路の薄膜電子素子及びネットワーク４８の流体区画はそれぞれ、基材の共通の表面付近に配置することができ、それによって電子素子は流体ネットワークの領域に近接して並置され、且つ／又は流体連通させることができる。したがって、薄膜素子は、流体ネットワーク４８内の流体（あるいはサンプル／分析物）の特性を変化させ、且つ／又は検出するように構成することができる。基材１６０のための例示的な材料はシリコンであり、通常単結晶シリコンを用いることができる。他の適切な基材材料及び特性は、セクションＩＩにおいて後述する。
【００４９】
流体ネットワーク４８、あるいは１つあるいは複数の流体区画からなる流体連通している流体空間は、基材の表面１６２付近に、基材部分１５８及び流体障壁１６３を用いて、共に画定することができる。流体空間は、基材部分と流体障壁との間に流体を保持するための全流体容積を決定することができる。用語「共に画定する」は、流体空間あるいはそれら流体区画を、概ね（あるいは完全に）基材部分１５８と流体障壁１６３との間に配置することを意味する。流体障壁１６３には、流体が、流体ネットワーク４８あるいはそれら流体区画から障壁を通って装置の外部に実質的に散逸する、あるいは出るのを防ぐ任意の構造を用いることができる。流体が実質的にカートリッジから出るのを防ぐとは、流体の液滴、小滴あるいは液流が流体障壁を通って装置から離れることがないことを意味する。したがって、流体障壁は、流体ネットワーク４８を装置の外部領域に流体連通させる開口部を有しない。また流体障壁は、流体障壁と基材部分との間の接合部に画定される境界を流体連通させないように封止して、その接合部において流体が実質的にカートリッジから出るのを防ぐこともできる。通常は、流体障壁は、流体ネットワーク４８から流体が蒸発して損失するのも制限する。
【００５０】
流体ネットワーク４８は以下のように形成することができる。基材１６０及び／又は回路５８の表面１６２によって、流体ネットワーク４８の底壁１６４が画定される。パターニングされたチャネル層１６６が、表面１６２及び底壁１６４上に配置され、側壁１６８を画定することができる。チャネル層１６６は、限定はしないが、ネガフォトレジストあるいはポジフォトレジスト（例えば、ＳＵ−８あるいはＰＬＰ）、ポリイミド、ドライフィルム（例えば、デュポン社のＲｉｓｔｏｎ）及び／又はガラスをはじめとする、任意の適切な材料から形成することができる。チャネル層１６６をパターニングするための方法には、フォトリソグラフィ、微細機械加工、成形、スタンピング、レーザーエッチング等が挙げられる。カバー１７０は、底壁１６４から離隔してチャネル層１６６上に配置され、電子回路５８から離隔して流体ネットワーク４８の上側領域を封止することができる（図１２参照）。カバー１７０は、例えばチャネル層１６６に結合されているか、さもなければチャネル層１６６に取り付けられている層などの、チャネル層１６６から分離している構成要素であるか、又はチャネル層１６６と一体に形成することができる。いずれの場合でも、流体障壁１６３は、流体が流れて、カートリッジから散逸しないように封止されている反対側の壁部１７１も構成要素として含んでいる。カバー１７０は、検定がカバーを介して光学的に検出されるときには透明であり、例えば、ガラスあるいは透明なプラスチックを用いることができる。代替的に、カバー１７０は、検定が電気的に検出されるときには、不透明にすることができる。流体ネットワーク４８は、上記のように、空間的に個別のチャンバ６４、６６、６８を含み、個別の処理を実行することができ、且つ／又は個別の処理を共用の流体区画において実行することもできる。
【００５１】
回路５８の少なくとも１つの薄膜部分は、基材１６０の表面１６２上に形成されており、且つその表面によって支持されている。回路は通常は、１つあるいは複数の電子回路を少なくとも部分的に画定する薄膜層を含んでいる。回路は、流体ネットワーク４８内の流体と接触する電極１７２を構成要素として含むことができる。電極及び他の薄膜素子（セクションＩＩ参照）は、一般的に、基材上に形成されている、即ち表面１６２の上及び／又は下に形成されている半導体回路（信号処理回路を含む）を介して、電気的接触パッド１７４（図１１参照）に電気的に接続することができる。所与の数の接触パッド１７４は、著しく多くの数の電極及び／又は他の薄膜素子を制御することができる。好ましい実施形態では、接触パッド１７４は、フレキシブル回路の場合のように接触部１８に電気的に接続される。
【００５２】
電極１７２は、任意の適切な組成、分布及びコーティングを有することができる。電極１７２に適した材料は、金属、金属合金あるいは金属誘導体のような導電性材料である。例示的な電極材料として、金、プラチナ、銅、アルミニウム、チタン、タングステン、金属シリサイド等が挙げられる。回路５８は、流体ネットワーク４８の底壁１６４に沿った１つあるいは複数のサイトにおいて電極を備えることができる。例えば、ここで示しているように、電極は、濃縮器６４の場合のようにチャネル／チャンバに沿った１つの列にて、及び／又はチャンバ６６、６８の場合のように２次元のアレイにて、複数の個別ユニットとして配列することができる。代替的に、あるいはそれに加えて、電極１７２は細長くするか、あるいは任意の他の適切な形状を有することができる。各電極１７２は、個々に正又は負のいずれかに電気的にバイアスをかけられ、核酸を引き付けるか、反発するようにするか、又は、電気的にバイアスをかけない場合もある。核酸の望ましい保持、且つ／又は核酸の流動方向に基づいて、制御装置１２及び／又はカートリッジ１４によって任意の適切な空間的、時間的に調整された方法を用いて、電気的にバイアスをかけることができる。電極１７２は浸透層によって被覆することができ、それによって流体及びイオンは流体区画内の電極に到達できるが、より大きな分子（例えば核酸）は電極と直に接触しないようにすることができる。そのような直接の接触は、核酸に化学的に損傷を与える場合がある。適切な電極被覆物は、例えば、特にヒドロゲル及び／又はゾルゲルを含有し、スパッタリング法、スピンコーティング法のような任意の適切な方法によって適用することができる。被覆物の例示的な材料として、例えば、ポリアクリルアミド、アガロース及び／又は合成ポリマーが挙げられる。
【００５３】
検定部４４は、流体ハンドリング部４２と流体連通している。この接続のために、任意の適切な境界流路（あるいは単一の流路）を用いて、カートリッジの流体ネットワーク４６、４８を接続することができる。そのような流体連通させる接続によって、流体区画に関して流体を輸送できる、即ち、流体区画へ輸送したり、及び／又は流体区画から輸送したりすることができる。
【００５４】
流体ネットワーク４６、４８は、基材１６０及び／又は流体障壁１６３によって空間的に分離することができる。基材１６０によって分離される場合、境界流路は、流体ネットワークを接続させるために、一般的に基材１６０の表面１６２から反対側の表面１７６まで基材１６０を貫通して延在している。境界流路は、流体が移動する経路を画定する給送構造として図示されている。代替的に、あるいはそれに加えて、１つあるいは複数の境界チャネルは、基材１６０のエッジ１７８を迂回して延在し（図１１）、流体ネットワーク４６に接続することができる（図５〜図１０）。例えば、境界チャネルは、チャネル層１６６及び／又はカバー１７０を貫通して延在し、カートリッジから大量の流体が流出しないように封止することができる。別の実施形態では、流体ネットワーク４６、４８は、基材１６０によってではなく、流体障壁１６３によって空間的に分離することもでき、いくつかの、あるいは全ての境界チャネルが同様に流体障壁１６３を貫通して延在し、流体ネットワーク４６と流体連通している。
【００５５】
図示する実施形態では、１８０ａ〜１８０ｅと符号が付された境界流路は、基材の反対側の表面まで基材１６０を貫通して延在している（図１０〜図１２参照）。境界流路１８０は、流体ハンドリング部の任意の流体区画を流体ネットワーク４８の流体区画に、一般的にその２つの部分の流体コンジットあるいはチャンバに直に接続することによって、流体連通させる。例えば、境界流路１８０は、試薬貯蔵室５２を検定部４４のチャンバ（６４〜６８）に、検定部のチャンバを廃棄物チャンバに、予備処理チャンバ１２０を検定部のチャンバに、検定部の２つ以上のチャンバを互いに（図示せず）、サンプル入力サイト５０を検定部のチャンバに直に（同様に図示せず）、及び／又は検定部のチャンバをバルブ及び／又はベント（例えばバルブベント１２２）に接続することができる。検定部の個々の区画は、任意の適切な数の境界流路１８０に直に接続することができる。本形態では、濃縮チャンバ６４は１８０ａ〜１８０ｃの３つを有し、増幅チャンバ６６及び検定チャンバ６８の各々が、それぞれ１８０ｄ及び１８０ｅの１つを有している。
【００５６】
図１２は、境界流路１８０ｅが、検定部４４を流体ハンドリング部４２に如何に流体連通しているかを示している。境界流路１８０ｅは、流体を、流路１８２に沿って、検定チャンバ６８からバルブベント１２２に搬送するように構成されている（図１０参照）。境界流路は、流体を、流体ハンドリング部４２の１つの流路（あるいは複数の流路）１０４に搬送することができる。各流路１０４は、流体を流体ハンドリング部４２内の１つあるいは複数のチャネル１０４に誘導し、且つ検定部４４内の１つあるいは複数の流体区画に誘導する流体マニホルド１８４を介して、境界流路１８０に接続することができる。したがって、検定部４４は、例えば、接着剤１８６を用いて、流体マニホルド１８４に固定して取り付けることができる。
【００５７】
境界流路の直径を、その長さ（一般的に、流体が流れる方向に平行に測定される）に沿って変化させることができる。例えば、境界流路１８０ｅの直径は、流体を送出するための開口部１８８を形成するために、基材１６０によって画定される中間領域内よりも、基材１６０の表面１６２に隣接するチャネルの端部領域においての方が小さい。開口部は、流体区画へ、及び／又は流体区画から流体を誘導することで、流体を輸送することができる。開口部１８８は通常流体区画に隣接している。流体区画は、流体障壁によって少なくとも部分的に画定され、流体が、その区画から局部的にマイクロ流体デバイスを出ることができないように、即ち流体障壁を通って直に外部に出ることができないように構成されている。流体区画は、基材部分と流体障壁との間で共に画定するができる。開口部は、薄膜層１９０が基材１６０と接触しないオーバーハング（あるいは棚状部）１９２を形成する周辺領域を含むことができる。開口部１８８は、任意の適切な直径、即ち約１μｍ〜１００μｍの直径を有することができる。開口部あるいは穴によって、基材によって画定される境界流路領域そのものによるよりも、より制限された流体の流れを供給することができる。開口部１８８は、基材１６０の表面１６２上に形成されている１つあるいは複数の薄膜層１９０内に形成される開口部によって画定される。薄膜層１９０は通常薄く、即ち基材１６０の厚みよりも著しく薄く、セクションＩＩにおいて記載するような厚み及び／又は機能的な役割を有することができる。
【００５８】
図１３〜図１９は、例示的な検定部製造法を用いて、検定部４４内の境界流路１８０ｅ、開口部１８８及び検定チャンバ６８を形成する各段階を示している。当該方法は、薄膜堆積及びパターニングステップを包含する。ここでは、パターニングは、概ね、例えば薄膜層の種々の領域を光に選択的に露出した後の、薄膜層のパターン化された除去処理を意味する。
【００５９】
図１３は、検定部に適した開始材料、即ち反対側にある表面１６２、１７６が概ね平坦な基材１６０を示している。ここに示す方法は、例えば約０．１〜２ｍｍ、あるいは０．２〜１ｍｍの厚みを有する薄いシリコン基材を用いて実施することができる。基材は、薄膜層１９０を追加中及び／又は追加後に、通常は追加前に、トランジスタ、ＦＥＴ、バイポーラ素子及び／又は他の半導体電子素子（図示せず）を形成するｎ及びｐドープ領域を含むように変性することができる。
【００６０】
図１４は、基材１６０の表面１６２上に薄膜層１９０を適用し、パターニングした後の検定部を示している。薄膜層１９０は、回路５８の導電性部分を形成し、且つ／又は保護するために用いられる任意の適切な薄膜を含有することができる。薄膜層は、導電性材料（例えば、電極、及び素子間の導電性接続を形成するためのもの）、半導体材料（例えば、ｎ及びｐドープ材料を用いてトランジスタを形成するためのもの）及び／又は絶縁性材料（例えば、パッシベーション層）から形成することができる。薄膜層は従来法によって適用され、パターニングすることができる。薄膜層１９０のうちの少なくとも１つは、開口部１８８の周辺部１９４を画定するようにパターニングされる。
【００６１】
図１５は、パターニングされていないチャネル層１９６が、薄膜層１９０及び開口部１８８上に付着した後の検定部を示している。チャネル層１９６は、適切な厚み、通常は約１〜２００μｍ、さらに通常は２〜１００μｍ、さらに好ましくは５〜５０μｍで適用することができる。チャネル層１９６（及び流体障壁）のための例示的な材料は既に記載している。
【００６２】
図１６は、エッチマスク１９８が基材１６０の反対側の表面１７６に加えられた後の検定部を示している。エッチマスクは適切な厚みの層として適用され、局部的な領域において選択的に除去されて、開口部２００を画定することができる。開口部２００は、任意の適切な直径を有することができるが、通常は開口部１８８の直径よりも大きい直径を有する。開口部２００は開口部１８８の反対側に配置され、それによって開口部２００を薄膜層１９０に突出させることにより、基材内に、開口部１８８の周囲を包囲することができる対応するチャネルあるいは貫通孔２０１が形成される。
【００６３】
図１７は、境界流路１８０ｅの基材領域が形成され、エッチマスク１９８が除去された後の検定部を示している。基材１６０は、開口部２００（図１６参照）によって画定される容積に沿って面１７６から概ね直交する方向にエッチングされ、チャネル２０１を形成することができる。任意の適切なエッチング手順を用いて、境界流路１８０ｅの基材部分を形成することができるが、通常は、ディープ反応性イオンエッチング（ＤＲＩＥ）が用いられる。薄膜層１９０のうちの１つあるいは複数の層がエッチストップとしての役割を果たすことができ、結果として、オーバーハング領域１９２が形成される。エッチング後、マスクは反対側の表面１７６から剥離されるか、その表面上に残すことができる。
【００６４】
図１８は、パターニングされていないチャネル層１９６の種々の領域が選択的に除去され、パターニングされたチャネル層１６６が形成された後の検定部を示している。選択的な除去は任意の適切なプロセス、例えば、層１９６をフォトパターニングし、その後、フォトパターニングされた層を現像、あるいはレーザーアブレーションすることで実施することができる。
【００６５】
図１９は、カバー１７０を取り付けた後の、しかしながらマニホルド１８４を介して検定部を流体ハンドリング部４２に付加する前の、完成した検定部４４を示す。カバー１７０は、例えば接着、加熱及び加圧、陽極結合、音波溶接及び／又は従来法などの任意の適切な方法によって、流体障壁１６６に取り付けられることができる。
【００６６】
図２０は、検定部２０４内に形成されているチップ内流路２０２のやや概略的な図を示している。チップ内流路２０２は開口部１８８を通って、基材１６０に入り、基材１６０から出ることができ、反対側の表面１７６までは延在しない。それゆえ、チップ内流路２０２は、カートリッジの部分４２と４４との間に延在している境界流路１８０とは異なる。チップ内流路２０２を用いて、基材部分１５８及び流体障壁２０８によって共に画定されるチャンバ２０６間で流体を送出することができる。代替的に、あるいはそれに加えて、チップ内流路を用いて、流体を混合し（以下を参照）、反応あるいは検定等を実施することができる。
【００６７】
図２１〜図２３は、例示的な方法を用いて、検定部２０４内にチップ内流路２０２を形成する各段階を示している。材料及び処理ステップは、概ね図１２〜図１９の場合に記載されたようなものである。図２１は、薄膜層１９０が基材１６０の表面１６２上に形成され、パターニングされて、複数の開口部１８８が形成された後の製造段階を示している。図２２は、開口部１８８の下側にある基材１６０を異方性エッチングし、基材の窪みあるいは溝２１０を形成した後の検定部を示している。代替的に、溝２１０は等方性エッチングによって形成することができる。いずれの場合でも、エッチャントは開口部１８８を通って基材１６０に到達し、薄膜層１９０に切り込みを入れ、それによって各開口部１８８の下に配される局部的な窪み２１２を合体して１つにすることによって、溝２１０を形成することができる。したがって、開口部１８８は通常は、基材１６０のエッチング中に窪み２１２が流体連通できるほど十分に近接して配置される。図２３は、流体障壁２０８を用いてチャンバ２０６を形成した後の検定部２０４を示している。本形態では、流体障壁２０８は、チャンバ側壁を画定するチャネル層１６６と、チャンバ２０６の上側を封止するカバー１７０を構成要素として含んでいる。薄膜層１９０によって画定され、溝２１０を形成するために用いられる開口部１８８のうちの１つあるいは複数の開口部は、チャネル層１６６によって閉塞することができる。例えば、本形態では、中央の開口部が、２１４で示すように、チャネル層１６６によって封止されている。
【００６８】
図２４は、マニホルドチャネル２１８を有している検定部２１６を示している。マニホルドチャネル２１８は、薄膜１９０内の２つ以上の開口部１８８に流体連通している基材貫通流路である。本形態では、開口部１８８はマニホルドチャネル２１８を２つのチャンバ２０６に流体連通させている。別の形態として、マニホルドチャネル２１８は、検定部の流体ネットワーク内にある任意の適切な数の区画に流体連通させることができる。マニホルドチャネル２１８を用いて、例えば、流体ハンドリング部４２から（あるいは流体ハンドリング部４２へ）流体を受容する（あるいは送出する）ことができ、例えば、チャンバ２０６の一方あるいは両方に（チャンバ２０６の一方あるいは両方から）流体を送出する（受容する）ことができる。またマニホルドチャネル２１８を用いて、図２０に示すように、チャンバ２０６間で流体を誘導することもできる。マニホルドチャネル２１８を形成するための例示的な方法は、図２２において溝２１０を形成した後の、図１５〜図１９に概説される手順による。
【００６９】
図２５は、混合チャンバ２３２を含む検定部２３０の部分的な平面図である。混合チャンバ２３２は、複数の開口部２３６（ここでは、６つの入口開口部と１つの出口開口部とが図示されている）において薄膜層の下側に形成される、図２２の溝２１０に類似の溝２３４を有する。溝２３４は、複数の入口チャネル２３８、２４０によって検定部２３０の流体ネットワークから流体を供給され、入口チャネルは矢印によって示される経路に沿って流体を入口開口部に搬送する。各チャネルは、流体、一般的には異なる流体を溝２３４に誘導し、溝に沿った交互配置の形状を用いて、溝内の複数のチャネルからの流体を混合できるようにする。混合された流体は、２４２で示されるように、出口開口部２３６において溝２３４を出て、その流体は検定部２３０の流体ネットワークの出口チャネル２４４に戻される。別の実施形態では、任意の適切な数の入口及び出口チャネルを、任意の適切な数の開口部２３６を介して、混合チャンバ２３２に接続することができる。
【００７０】
図２６は、検定部４４の選択された部分、特に薄膜層１９０をさらに詳細に示している。例示的な薄膜１９０は、基材１６０から形成されるフィールド酸化膜（ＦＯＸ）層２５２と、ＦＯＸ層２５２上に配置されるＰＳＧ（ｐｈｏｓｈｏ−ｓｉｌｉｃａｔｅ  ｇｌａｓｓ）層２５４とを含むことができる。ＦＯＸ層２５２は、加熱作用を断熱するための熱障壁を提供する。ＰＳＧ層２５４は、２５５で示されるように、開口部１８８から後退しており、流体が、腐蝕作用を有するＰＳＧ層と接触するのを避けることができる。したがって、ＰＳＧ層２５４は流体と接触する開口部１８８よりも大きな直径を有する、保護された開口部を画定する。また薄膜は、タンタルアルミニウム（ＴａＡｌ）のような任意の適切な抵抗性材料から形成されている抵抗層２５６も含むことができる。電流は、アルミニウムあるいはアルミニウム合金（図示せず）のような任意の適切な導電性材料から形成される、接続された導体から抵抗層２５６内に流れる。抵抗層は熱を発生し、その熱は、特にＦＯＸ層２５２によって基材１６０とは断熱することができる。１つあるいは複数のパッシベーション層２５８がこれらの薄膜を覆うことができる。パッシベーション層に適した材料として、例えば窒化シリコン（Ｓｉ３Ｎ４）あるいはシリコンカーバイド（ＳｉＣ）が挙げられる。電極、トランジスタ及びダイオードのような、基材表面の上及び／又は下に配置することができる、さらに別の電子回路造作物はここでは示されていない。
【００７１】
ＩＩ．  マイクロ流体システム
サンプルを操作し、且つ／又は分析するためのマイクロ流体システムが提供される。マイクロ流体システムは概して、非常に少量の流体（液体及び／又は気体）のサンプルを受容し、操作し、分析するための装置及び方法を含んでいる。少量の流体は１つあるいは複数の流路によって搬送され、その流路のうちの少なくとも１つは通常は約０．１〜５００μｍ、さらに通常は約１００μｍあるいは５０μｍ未満の断面寸法あるいは深さを有している。マイクロ流体デバイスは、任意の適切な全流体容積を有することができる。したがって、マイクロ流体デバイス内の１つあるいは複数の領域における流体は、一般的に低レイノルズ数によって特徴付けられる、乱流が最小限の層流となる。
【００７２】
流体区画は、マイクロ流体デバイス内に流体連通して接続されることができる。流体連通している又は流体連通して接続されるとは一般的に、区画間を流体を連絡させる経路がデバイス内に存在することを意味する。その経路は常に開いているか、開閉するバルブによって制御することができる（以下を参照）。
【００７３】
種々の流体区画は、マイクロ流体デバイス内で流体を搬送し、且つ／又は保持することができ、デバイスによって包囲されている。流体を搬送する区画は流路である。流路には、例えばチャネル、処理チャンバ、開口部あるいは表面（例えば、親水性、帯電等）などの、マイクロ流体デバイス内において流体が移動する経路を決定する任意の画定された経路あるいはコンジットが挙げられる。流路へ送出するために、あるいは流路から受容するために、流体を保持する区画は、チャンバあるいは貯蔵室と呼ばれる。多くの場合に、チャンバあるいは貯蔵室は、そこを通して流体を流すことのできる流路でもある。流体連通しているマイクロ流体デバイス内の流体区画は、流体ネットワークあるいは流体空間を形成し、それらは分岐される場合もあり、分岐されない場合もある。ここに示すようなマイクロ流体デバイスは、単一の流体連通している流体ネットワーク、あるいは複数の個別の流体連通していない流体ネットワークを含むことができる。複数の個別の流体ネットワークを用いる場合、その装置は、同時に及び／又は次々に、複数のサンプルを受容し、操作するように構成することができる。
【００７４】
チャンバは、末端チャンバ及び中間チャンバとして大きく分類することができる。末端チャンバは一般的に、流体ネットワークにおいて流体を移動させるための始点あるいは終点と定義することができる。そのようなチャンバは、例えば、装置の製造あるいは準備中に試薬を受容する、外部環境とのインターフェースとして機能するか、あるいはマイクロ流体デバイス内の流路からのみ流体を受容することができる。例示的な末端チャンバは、処理されたサンプル、試薬及び／又は廃棄物を受容し、且つ／又は収容する貯蔵室として機能することができる。末端チャンバは、サンプル分析前に、且つ／又はサンプル分析中に流体を取り込むことができる。中間チャンバは、流体ネットワーク内の中間的な位置にあり、それゆえ、サンプル分析中に処理、反応、測定、混合等のための流路として機能することができる。
【００７５】
マイクロ流体デバイスは、流体ネットワーク内の流体あるいは流体成分を押し出し、且つ／又は吸い込むための１つあるいは複数のポンプを構成要素として含むことができる。各ポンプには、例えば機械駆動式（圧力媒介）ポンプあるいは電磁ポンプを用いることができる。機械駆動式ポンプは、正圧によってネットワークの中に流体を押し出すことができる。その圧力はばね、加圧された気体（システムの内部あるいは外部から供給される）、モータ、シリンジポンプ、空気ポンプ、蠕動ポンプ等によって与えられることができる。代替的に、あるいはそれに加えて、圧力駆動式ポンプは、負圧によって、即ち、減圧された領域に向かって流体を吸い込むことができる。電磁あるいは電気駆動式ポンプは電界を用いて、電気泳動、電子浸透、電気毛管現象等によって流体及び／又は流体成分を流動させることができる。いくつかの実施形態において、微細機械加工によって製造されるマイクロポンプ、例えば、圧電の動力によって流動させるダイアフラムポンプを用いることができる。
【００７６】
ここに示すマイクロ流体デバイスはまた、バルブも含むことができる。バルブは一般的に、流体ネットワーク内を通る流体の流れを調整するための任意の機構を有し、例えば、双方向バルブ、チェックバルブ及び／又はベントがある。例えば、バルブは、流体が流路内に流れるのを阻止したり、可能にしたりする、即ちバイナリスイッチとして、及び／又は流速を調整するために用いることができる。したがって、バルブを操作することによって、例えば、流体ネットワークのアクティブな部分を選択したり、流体ネットワークの１つあるいは複数の部分を離隔することができ、且つ／又は実施される処理ステップを選択することができる。それゆえ、バルブは、流体、試薬及び／又はサンプルを、ある流体区画から流体ネットワークの所望の領域に搬送するように配置され、操作される。適切なバルブは、例えば、可動ダイアフラムあるいは可動薄膜、圧縮することのできる流路壁あるいは可動流路壁、ボールバルブ、スライドバルブ、フラップバルブ、バブルバルブ及び／又は不混和流体を構成要素として含むことができる。そのようなバルブは、ソレノイド、モータ、圧力（上記を参照）、ヒータ等によって操作することができる。
【００７７】
適切なバルブとして、従来の製造方法によって薄膜電子素子（以下を参照）に沿って基材上（あるいは基材内）に形成されるマイクロバルブを用いることができる。マイクロバルブは、例えば、静電力、圧電力及び／又は熱膨張力によって駆動することができ、内部あるいは外部にアクチュエータを有することができる。静電バルブは、例えば、基材内に形成されている穴を覆うように動作することができるポリシリコン膜あるいはポリイミドカンチレバーを構成要素として含んでいる。圧電バルブは、バルブアクチュエータと反対方向に膨張する外部（あるいは内部）の圧電ディスクあるいは圧電ビームを構成要素として含んでいる。熱膨張バルブは、ダイアフラムによって仕切られている封止された圧力チャンバを構成要素として含んでいる。チャンバを加熱することにより、ダイアフラムがバルブシートと反対方向に膨張する。代替的に、熱膨張バルブはバブルバルブを含むことができる。バブルバルブは、流体を加熱するヒータ素子によって形成することができ、流路内に気泡を形成して、その気泡が流路の中を流体が流れないように阻止する。加熱を中断することにより、気泡が減少し、流体が流れるようになる。マイクロバルブは可逆的に、即ち開閉することができるか、実質的に不可逆な、即ち開閉のいずれかのみが可能なシングルユースバルブにすることができる。例示的なシングルユースバルブは、流体流路内の感熱性障害物、例えばポリイミド層である。そのような障害物は、加熱する際に破壊あるいは変性され、流体が流れるようになる。
【００７８】
ベントは、例えば、流体がある流体区画に入る結果として生じる排気ガスを放出できるようにするために用いられる。適切なベントは、ガスは通過できるが、親水性液体の通過を制限する疎水性膜を構成要素として含んでいる。例示的なベントはゴアテックス膜である。
【００７９】
ここに記載しているようなマイクロ流体デバイスは、３つのステップ、即ち入力、処理及び出力を実行あるいは調整するように構成することができる。これらのステップは一般的に、所与のサンプル毎に順番に実行されるが、複数のサンプルが装置に入力される場合には非同期に実行される場合もある。
【００８０】
入力では、マイクロ流体デバイスのユーザは、外界からマイクロ流体デバイスにサンプルを導入できる。したがって、入力は外界とデバイスとの間のインターフェースを必要とする。それゆえ、そのインターフェースは通常はポートとして機能し、インターフェースとしてセプタム、バルブ等を用いることができる。代替的に、あるいはそれに加えて、サンプルを、デバイス内で試薬から合成することができる。試薬は、ユーザによって、あるいは装置の製造中に導入することができる。好ましい実施形態では、試薬は製造中に導入され、デバイスあるいはカートリッジ内に封止される。
【００８１】
その後、入力されたサンプルは処理される。処理は、サンプルの組成、濃度及び／又は温度のようなサンプルの物理的あるいは化学的特性を変性する任意のサンプル操作あるいは処理を含むことができる。処理によって、入力されたサンプルを、サンプル内の分析物の分析に、より適した形態に変性することができ、反応を介してサンプルの形態を照会することができ、サンプルを濃縮させることができ、信号強度を高めることができ、且つ／又はサンプルを検出可能な形態に変換することができる。例えば、処理ステップによって、入力されたサンプルからの１つあるいは複数の分析物を抽出あるいは解放（例えば、細胞あるいはウイルスから）し、分離し、精製し、濃縮し、且つ／又は高濃度化（例えば、増幅による）させることができる。代替的に、あるいはそれに加えて、処理ステップによって、サンプルあるいはその分析物を物理的、化学的及び／又は生物学的に変性するために、サンプルあるいはその分析物を処理することができる。例えば、処理ステップは、色素で標識化することにより、あるいは酵素又は基質、検査試薬あるいは他の反応性物質と反応させることにより、サンプル／分析物を化学的に変性することができる。同様に、あるいは代替的に、処理ステップは生物学的、物理的あるいは化学的条件あるいは媒介物によって、サンプル／分析物を処理することを含むことができる。例示的な条件あるいは媒介物には、例えば、ホルモン、ウイルス、核酸（例えば、トランスフェクションによる）、熱、放射線、超音波、光、電圧パルス、電界、粒子照射、洗浄剤、ｐＨ及び／又はイオン強度が挙げられる。代替的に、あるいはそれに加えて、処理ステップは分析物の選択的な配置を含むことができる。分析物を選択的に配置する例示的な処理ステップとして、毛管電気泳動、クロマトグラフィ、親和性基質への吸着、１つあるいは複数の配置されているレセプタへの特異結合（例えば、ハイブリダイゼーション、レセプタ−リガンド相互作用等による）、分類（例えば、測定された信号に基づく）等が挙げられる。
【００８２】
出力はサンプル処理後に実行することができる。マイクロ流体デバイスは、分析及び／又は調製の目的で用いることができる。したがって、出力には、一般的に、マイクロ流体デバイスから任意のサンプル関連信号あるいは物質を得ることが包含される。
【００８３】
サンプル関連信号には、処理されるサンプルに直接的及び／又は間接的に関係しており、且つマイクロ流体デバイスから、あるいはマイクロ流体デバイスによって測定される検出可能な信号が含まれる。検出可能な信号として、例えば、アナログ値及び／又はデジタル値、一価あるいは多価、時間依存値あるいは時間非依存値（例えば、定常値あるいは終点値）及び／又は平均値あるいは分布値（例えば、時間的及び／又は空間的）を用いることができる。
【００８４】
検出可能な信号は、数ある検出方法の中で、光学的及び／又は電気的に検出することができる。検出可能な信号には、例えば、吸光度、ルミネッセンス（蛍光、エレクトロルミネッセンス、生物発光、化学発光）、回折、反射、散乱、円偏光二色性及び／又は旋光度のような光学信号を用いることができる。適切な蛍光方法は、例えば、蛍光共鳴エネルギー転移（ＦＲＥＴ）、蛍光寿命（ＦＬＴ）、蛍光強度（ＦＬＩＮＴ）、蛍光偏光（ＦＰ）、内部全反射蛍光（ＴＩＲＦ）、蛍光相関分光（ＦＣＳ）、光退色後の蛍光再生（ＦＲＡＰ）及び／又は蛍光標識式細胞分取（ＦＡＣＳ）を含むことができる。光学信号は、非位置値、あるいは１組の値として測定することができ、及び／又は、例えば、電荷結合素子の場合のように、イメージング方法を用いて測定されるような空間的情報を有している。いくつかの実施形態において、検出可能な信号として、例えば、搭載されるフォトダイオードが発生する光電子信号を用いることができる。他の検出可能な信号は、表面プラズモン共鳴法、核磁気共鳴法、電子スピン共鳴法、質量分析法等によって測定することができる。代替的に、あるいはそれに加えて、検出可能な信号として、電気信号、即ち測定される電圧、抵抗、コンダクタンス、キャパシタンス、電力等を用いることができる。例示的な電気信号は、例えば、分子結合事象（例えば、核酸二本鎖形成、レセプタ−リガンド相互作用等）として、細胞膜にわたって測定することができる。
【００８５】
いくつかの実施形態において、マイクロ流体デバイスは、サンプルを調製するために用いることができる。出力されるサンプル関連物質として、処理後にデバイスを出る１つあるいは複数の任意の化学的あるいは生物学的化合物、ポリマー、凝集物、混合物、集合物及び／又は生物が挙げられる。そのようなサンプル関連物質は、例えば、化学的に変性（合成）され、生物学的に変性、精製され、且つ／又は選別された、入力サンプルの誘導体であり得る。
【００８６】
マイクロ流体デバイスは、セクションＩにおいて例示しているように、流体をハンドリング（且つ収容）するための部分、及び検定を行うための部分として、個別の構造的な部分を構成要素として含むことができる。これらの部分は、個別の処理及び／又は操作ステップを実行するように構成することができる。流体ハンドリング部は、検定部から離隔して形成され、検定部の流体ネットワークあるいは流体空間よりも大きな３次元寸法の流体ネットワークあるいは流体空間を有することができる。流体ハンドリング部は、数十あるいは数百マイクロリットル〜約５ミリリットル以上までの流体容積を有する１つあるいは複数のチャンバを含んでいる任意の適切な容積の流体チャンバを有することができる。
【００８７】
流体ハンドリング部は、サンプルを受容するためのサンプル入力サイト（ポート）と、試薬を保持及び搬送し、且つ／又は廃棄物を受容するための複数の流体貯蔵室とを構成要素として含むことができる。流体ハンドリング部は、いくらか大きな流体容積、場合によっては、１マイクロリットルあるいは１ミリリットルよりも大きな容積、を収容するための寸法を有することができる。さらに、流体ハンドリング部は、廃棄物から対象の分析物を分離するために、例えば１つあるいは複数の細胞を含有するサンプルから分析物（例えば核酸）を単離するために、１つあるいは複数の流路によって形成される予備処理サイトを構成要素として含むことができる。流体ハンドリング部は、一般的に平坦ではない流体ネットワークあるいは流体空間を画定することができる。平坦ではない、即ち３次元の流体ネットワークの場合、流体ネットワークの１つあるいは複数の部分を、任意の共通の平面から２ミリメートル以上離して配置することができる。
【００８８】
検定部は、最終的なサンプル処理が行われ、且つ／又は検定信号が測定されるサイトを提供することができる。検定部は、一般的には約５０マイクロリットル未満、好ましくは約１０マイクロリットル未満、さらに好ましくは約１マイクロリットル未満の流体チャンバを有し、より小さなサンプル量を操作し、分析するように構成されている。
【００８９】
検定部は、流体ハンドリング部とは個別に、即ち流体ハンドリング部と共有されない個別の構成要素から形成することができる。したがって、検定部は、流体ハンドリング部とは別に形成することができ、その後、流体ハンドリング部の流体区画を流体連通するように流体ハンドリング部に取り付けることができる。
【００９０】
検定部は基材部分と流体障壁とを含んでいる。基材と流体障壁との間に、電子回路を、少なくとも部分的に、あるいは少なくともその大部分を配置することができる。基材部分は、基材部分の表面付近にある流体障壁と共に流体空間を画定することができる。電子回路は薄膜部分あるいは電子回路の層を含むことができ、薄膜層も基材の表面付近に配置される。表面に近接あるいは隣接する構造体は、その基材の反対側の表面よりも、その基材の表面の近くに存在している。
【００９１】
基材の電気的特性によって、電子回路、特に固体電子スイッチング回路が基材及び流体障壁に対して配置される位置が決定される。基材に半導体を用いることができ、それによって、電子回路のいくつかの部分が、例えばｎドーピング及びｐドーピングによって基材内に形成することができる。代替的に、基材として絶縁体を用いることができる。この場合には、全ての電子回路が基材の外部に支持される。適切な基材は、例えば薄膜の付着を容易に行うことができる、一対の相対する表面が概ね平坦あるいは平面的なものである。基材には、シリコン、ガリウムヒ素、ゲルマニウム、ガラス、セラミック、アルミナ等をはじめとする、少なくとも概ね無機物を用いることができる。
【００９２】
薄膜電子回路は薄膜あるいは薄膜層を含んでいる。電子回路の各薄膜層は、回路の動作において直接的あるいは補助的な役割、即ち、例えば導電性、絶縁性、抵抗性、容量性、ゲーティング及び／又は保護的な役割を果たすことができる。保護的な役割及び／又は絶縁性の役割は、電気的な絶縁、流体が媒介する腐蝕を防ぐための化学的隔離等を提供することができる。薄膜層は、約１００μｍ、５０μｍあるいは２０μｍ未満の厚みを有することができる。代替的に、あるいはそれに加えて、薄膜層は、約１０ｎｍ、２０ｎｍあるいは５０ｎｍよりも厚い厚みを有することができる。そのような薄膜は電子素子を形成する。電子素子と呼ばれる理由は、それらが検定部の電子回路によって電子制御されるためである。電子素子は、検定部の流体区画内の流体の特性を変性し、且つ／又は検出するように構成されている。したがって、電子素子及び薄膜層の種々の部分は、基材と、検定部の流体ネットワークあるいは区画との間に配置することができる。例示的な変性用の素子として、電極、ヒータ（例えば抵抗体）、冷却器、ポンプ、バルブ等が含まれる。したがって、変性される特性は、例えば、流体あるいは流体区画内の分析物の分布あるいは位置、分析物の移動度、分析物の濃度、関連するサンプル成分に対する分析物の組成比、流体の流速、流体の単離、あるいは流体／分析物の温度が挙げられる。代替的に、あるいはそれに加えて、薄膜素子は流体及び／又は分析物の条件あるいは位置をモニタ、あるいは検出することができる。例示的な検出素子として、温度センサ、流速センサ、ｐＨセンサ、圧力センサ、流体センサ、光センサ、電流センサ、電圧センサ、分析物センサ等が挙げられる。変性素子及び検出素子の組み合わせによって、フィードバック制御、例えば、検定部内の流体領域の閉ループ温度制御が可能となる。
【００９３】
検定部に含まれている電子回路は、線形に応答する電気回路とは対照的に、柔軟である。電子回路は、半導体素子（トランジスタ、ダイオード等）及び固体電子スイッチングを用いて、より少ない数の入力−出力配線で非常に多くの電子素子に電気的に接続することができる。したがって、電子回路は、例えば、電源／アース線、データ入力線、発射パルス線、データ出力線及び／又はクロック線を含む、入力及び出力配線の任意の適切な組み合わせに接続され、且つ／又は含むことができる。電源／アース線は、変性素子及び検出素子に電源を供給することができる。データ入力線は、電源投入される素子（例えば、ヒータ、電極）を指示するデータを提供することができる。発射パルス線は、チップの外部あるいは内部に供給することができる。これらの配線は、変性素子及び／又は検出素子を起動するための特定の１組のデータをアクティブにするように構成することができる。データ出力線は、検定部の回路からデータを、例えば検出素子からデジタルデータを、受信することができる。データ入力及び出力の速度に基づいて、単一のデータ入力／出力線あるいは複数のデータ入力／出力線を設けることができる。データ速度が遅い場合、単一のデータ入力／出力線で十分な場合があるが、よりデータ速度が速い場合では、例えば並列に複数の薄膜素子を駆動する場合では、１つあるいは複数のデータ入力線及び個別のデータ入力／出力線が必要になる場合がある。クロック線は、例えばコントローラからのデータを送受信するタイミングなどの、複数の処理のタイミングを提供することができる（以下を参照）。
【００９４】
マイクロ流体デバイスは、制御装置あるいはコントローラによって制御されるように構成することができる。したがって、マイクロ流体デバイスは、例えば導電的、静電容量的及び／又は電気誘導的に、コントローラに電気的に接続される。コントローラは、上記の入力及び／又は出力線のうちの任意の配線を提供することができる。さらに、コントローラは、ユーザインターフェースを提供することができ、データを格納することができ、１つあるいは複数の検出器を提供することができ、且つ／又は機械的インターフェースを提供することができる。コントローラの例示的な機能として、マイクロ流体デバイス内の流体、サンプル及び／又は分析物を変性及び／又は検出するために、バルブ、ポンプ、ソニケータ、光源、ヒータ、冷却器等を操作し、且つ／又は提供することが挙げられる。
【００９５】
特にマイクロ流体デバイス、流体ハンドリング部、検定部及びコントローラのさらに別の形態は、セクションＩにおいて既に記載している。
【００９６】
ＩＩＩ．サンプル
ここに示すようなマイクロ流体システムは、サンプルを処理するように構成されている。サンプルとして、一般的に、対象の物質（あるいは分析物）を分析するか、あるいは対象の物質を調製するためにそれを変性するか、のいずれかのために、マイクロ流体システムによって受容され、処理される任意の対象の物質が挙げられる。サンプルは一般的に、システムによって測定されるか、あるいはシステムによって有利に変性される（例えば、精製される、選別される、誘導体化される、培養されるなど）対象となる１つあるいは複数の特性を有している。サンプルは、１つあるいは複数の任意の化合物、ポリマー、凝集物、混合物、抽出物、合成物、粒子、ウイルス、細胞及び／又はそれらの組み合わせを含有している。対象の分析物及び／又は物質は、例えばサンプル内の主成分、副成分あるいは微量成分などの、サンプルの任意の部分を形成することができる。
【００９７】
サンプル、及びその中に含まれる分析物は、生物学的なものを用いることができる。生物学的サンプルには、一般的に、細胞、ウイルス、細胞抽出物、細胞生成物質あるいは細胞関連物質、候補となりそうな細胞修飾物あるいは未知の細胞修飾物、及び／又はその人為的な変異体が含まれる。細胞には、任意の単細胞あるいは多細胞生物からの真核細胞及び／又は原核細胞が含まれ、任意の種類の細胞あるいは一群の種類の細胞が含まれる。細胞生成物質あるいは細胞関連物質には、特に、核酸（ＤＮＡあるいはＲＮＡ）、タンパク質（例えば、酵素、レセプタ、制御因子、リガンド、構造タンパク質等）、ホルモン（例えば、核ホルモン、プロスタグランジン、ロイコトリエン、一酸化窒素、環状ヌクレオチド、ペプチドホルモン等）、炭水化物（例えば、単糖類、二糖類あるいは多糖類、グリカン、糖タンパク質等）、イオン（例えば、カルシウム、ナトリウム、カリウム、塩化物、リチウム、鉄等）及び／又は他の代謝生成物あるいは細胞移入物質が含まれる。
【００９８】
生物学的サンプルには、例えば、臨床サンプル、研究サンプル、環境サンプル、法医学的サンプル及び／又は工業サンプルを用いることができる。臨床サンプルは、診断及び／又は予後徴候を目的として得られた任意のヒトあるいは動物サンプルを含むことができる。例示的な臨床サンプルには、血液（血清、全血あるいは細胞）、リンパ液、尿、大便、胃内容物、胆汁、精液、粘液、膣垢、脳脊髄液、唾液、汗、涙、皮膚、毛、組織診試料、吸引液、外科的サンプル、腫瘍等が含まれる。研究サンプルには、培養された細胞あるいはウイルス（例えば、野生型、遺伝子操作されたもの及び／又は突然変異体）、その抽出物、部分的あるいは完全に精製された細胞物質、細胞から分泌された物質、薬剤スクリーニングに関連する物質等の生物学的及び／又は生物医学的研究に関連する任意のサンプルが含まれる。環境サンプルには、生物学的態様に基づいて分析あるいは操作される土壌、空気、水、植物及び／又は人為的な構造物が含まれる。
【００９９】
サンプルは非生物的な場合もある。非生物学的サンプルには、一般的に、生物学的サンプルと定義されない任意のサンプルが含まれる。任意の適切な無機及び有機化合物、ポリマー及び／又は混合物の、存否、濃度、寸法及び／又は構造を得るために、非生物学的サンプルは分析されることがある。適切な非生物学的サンプルとして、環境サンプル（例えば、土壌、空気、水等からのサンプル）、合成された物質、工業生産により生成された生成物あるいは廃棄物等が挙げられる。
【０１００】
サンプルは固体、液体及び／又は気体の場合がある。サンプルは、マイクロ流体システムに導入される前に予備処理するか、あるいはそのまま導入することができる。システム外部における予備処理には、化学的処理、生物学的処理（培養、ホルモン処理等）及び／又は物理的処理（例えば、熱処理、圧力、放射線、超音波破壊、流体との混合等）が含まれる。固体サンプル（例えば、組織、土壌等）は、マイクロ流体デバイスに導入される前あるいは導入された後に、流体内に溶解あるいは分散させることができ、及び／又は対象の分析物は、固体サンプルからマイクロ流体システム内の流体に遊離させることができる。液体及び／又は気体サンプルは、システムの外部で予備処理することができ、且つ／又はそのまま導入することができる。
【０１０１】
ＩＶ．検定
マイクロ流体システムを用いて、入力されたサンプルのある性質を検定（分析／検査）することができる。生物学的あるいは非生物学的サンプルの任意の適切な性質を、マイクロ流体システムによって分析することができる。適切な性質は、サンプルによって搬送される１つあるいは複数の分析物の特性に関係している。そのような特性には、存否、濃度（例えば、細胞内に発現したＲＮＡあるいはタンパク質の濃度）、寸法、構造、活性（例えば酵素あるいは生物学的活性）、細胞内の位置、細胞の表現型等が含まれる。構造には、一次構造（例えば、ヌクレオチドあるいはタンパク質の配列、ポリマー構造、異性体構造あるいは化学的修飾）、二次あるいは三次構造（例えば、局部的折畳み構造あるいは高次の折畳み構造）、及び／又は四次構造（例えば、分子間相互作用）が含まれる。細胞の表現型は、細胞状態、電気的活性、細胞形状、細胞移動性、細胞同一性、伝達遺伝子活性等に関係する。
【０１０２】
マイクロ流体検定は、１つあるいは複数の核酸の存否あるいは濃度を測定することができる。分析される各核酸は単一の分子として存在することができ、より一般的には複数の分子として存在することができる。複数の分子は同一あるいは概ね同一の場合があり、且つ／又は一般的には、同一である２０以上の連続した塩基部位を共有する場合がある。本明細書において用いられるような核酸（核酸種）には、一般的に、共有結合された単量体サブユニットの連鎖として形成されている、核酸ポリマーあるいはポリヌクレオチドが含まれる。単量体サブユニットは、塩基アデニン、シトシン、グアニン、ウラシル、チミン、ヒポキサンチン、キサンチンあるいはイノシンのうちの任意のものあるいは全てを含むポリリボ核酸（ＲＮＡ）及び／又はポリデオキシリボ核酸（ＤＮＡ）を形成することができる。代替的に、あるいはそれに加えて、核酸は、例えば、メチル化塩基、ペプチド核酸、硫黄置換型バックボーン等を含む、自然誘導体あるいは合成誘導体の場合がある。核酸は、単鎖、二本鎖及び／又は三本鎖の場合があり、野生型あるいは組換え型、欠失、挿入、反転、再配列及び／又はそれらの点変異体の場合がある。
【０１０３】
核酸分析には、サンプル内の１つあるいは複数の核酸種（ＤＮＡ及び／又はＲＮＡ）の存否、量、寸法、一次配列、完全性、変性及び／又は鎖構造を測定するために、サンプルを検査することが含まれる。そのような分析は、遺伝子型同定情報を提供することができ、且つ／又は、例えば、特定の遺伝子あるいは遺伝子部位からの遺伝子発現を測定することができる。
【０１０４】
遺伝子型同定情報は、サンプル内の、病原体種のような微生物の同定及び／又は定量のために用いることができる。例示的な病原性生物は、限定はしないが、例えばＨＩＶ、肝炎ウイルス、狂犬病ウィルス、インフルエンザ、ＣＭＶ、ヘルペスウイルス、パピローマウイルス、ライノウイルスなどのウイルスと、例えば黄色ブドウ球菌、ウェルシュ菌、腸炎ビブリオ菌、ネズミチフス菌、炭疽菌、ボツリヌス菌、大腸菌などの細菌と、例えば属名でカンジダ症、コクシジウム症、ブラストミセス症、ヒストプラスマ症、アスペルギルス症、接合菌症、フザリウム症及び毛芽胞菌に含まれる菌などの菌類と、例えばマラリア原虫（例えば、三日熱、熱帯熱、マラリア等）、ランブル鞭毛虫、赤痢アメーバ、クリプトスポリジウム及びアメーバなどの原虫とを含むことができる。その分析によって、例えばヒト、動物、植物、食物、土壌あるいは水が、ある特定の微生物で感染するか、あるいはそれを保有するか否かを判定することができる。場合によっては、その分析は、存在する特定の菌株についての固有の情報を提供することもできる。
【０１０５】
遺伝子型同定分析には、例えば、特定の遺伝子部位の存否、コピー数及び／又は配列を判定するために、臨床的あるいは法医学的に分析するための遺伝子スクリーニングが含まれる。遺伝子スクリーニングは、出生欠陥をスクリーニングして遺伝子疾患及び／又は一塩基多型を特定するために、あるいは腫瘍を確認するために、出生前あるいは出生後診断に適している。遺伝子スクリーニングは、患者治療、例えば薬剤選択、患者カウンセリング等、において医師を支援するためにも用いることができる。法医学的分析は、例えば遺伝子型分析を用いることで、例えば人を識別したり、犯行現場における特定の人物の存在を判定したり、あるいは親子を判定したりすることができる。いくつかの実施形態において、核酸は一塩基多型を有しており、且つ／又は一塩基多型に関して分析することができる。
【０１０６】
マイクロ流体システムは、遺伝子発現を分析するために、定量的（発現の量）に、あるいは定性的（発現の存否）に用いられることができる。遺伝子発現の分析は、ＲＮＡ上で直に行われるか、あるいはサンプルＲＮＡをテンプレートとして用いて、例えば逆転写酵素を用いて合成された相補的なＤＮＡにおいて行うことができる。相補的なＤＮＡは、例えば検定部おいて、セクションＩに示す実施形態のようなマイクロ流体デバイス内で、あるいはデバイスの外部で、即ちサンプル入力前に合成することができる。
【０１０７】
発現分析は、特に医療用あるいは研究用として利益をもたらす。例えば、個々の遺伝子あるいは一群の遺伝子の発現分析（プロファイリング）は、人の健康状態、薬剤あるいは他の処置の選択等を判定あるいは予測するのに用いることができる。他方では、あるいはそれに加えて、発現は、例えば伝達遺伝子分析、スクリーニングライブラリ（例えば、化合物、ペプチド、抗体、ファージ、細菌等のライブラリ）などの研究の応用形態においても有用とされる。
【０１０８】
検定は、分析物のある特性を測定できる処理ステップを含むことができる。そのような処理ステップには、標識化、増幅、レセプタへの結合等が含まれる。
【０１０９】
標識化は、分析物の検出能を高めるために実施することができる。適切な標識剤は、分析物に共有結合あるいは非共有結合し、且つ光学的に検出可能な色素（蛍光体、発色団、エネルギー移動群等）、特異的な結合対を形成する物質（例えばビオチン、ジゴキシゲニン、エピトープタグなどのＳＢＰ、表１参照）等を含有している。標識剤は、例えば核酸テンプレートによる複製（あるいは連結）、タンパク質リン酸化及び／又はメチル化などの酵素反応によって結合されるか、あるいは化学的、生物学的あるいは物理的（例えば、特に光あるいは熱触媒）に結合される。
【０１１０】
核酸分析の場合、核酸検出の感度を高めるために増幅を行うことができる。増幅は、ターゲット核酸種の存在量（分子数）あるいはターゲット種内の部位を選択的に増加させる任意の処理法である。増幅には、熱サイクル処理（例えば、ポリメラーゼ連鎖反応、リガーゼ連鎖反応等）、あるいは等温処理（例えば、鎖置換増幅）がある。増幅のさらに詳しい形態は、セクションＩにおいて既に記載している。
【０１１１】
レセプタ結合は、分析物（又は、分析物の存在によってテンプレートされた、あるいは分析物の存在に由来する反応生成物）を、分析物に特異的に結合するレセプタと接触させるステップを含む。レセプタは、例えばアレイのマイクロ流体区画に取り付けるか、又はマイクロ流体区画内のある位置に固定するか、区画の全体にわたって分布させることができる。「特異的に結合する」とは、混合物内の他の成分に概ね結合せず、混合物内の意図した相手に対して高い選択性で結合することを意味する。特異的な結合は、約１０−４Ｍ未満の結合係数によって特徴付けることができ、好ましい特異結合係数は、約１０−５Ｍ、１０−７Ｍあるいは１０−９Ｍ未満である。レセプタ−分析物相互作用に適している例示的な特異結合対を、以下の表１に列挙する。
【０１１２】
【表１】
2006504974.tif 000003
【０１１３】
サンプル検定、詳細にはサンプル内の核酸分析物の検定のさらに詳しい形態は、セクションＩにおいて既に記載している。
【０１１４】
上述の開示は、本発明の複数の異なる実施形態を網羅するものと考える。これらの実施形態の各々は特定の形態において開示されてきたが、ここに開示し例示されるような特定の実施形態は、限定するものとみなされるべきではなく、いくつかの変形形態を実施可能である。それゆえ、本開示が対象とするものには、本明細書に開示する種々の要素、機構、機能及び／又は特性の全てのうち、新規で、自明でない組み合わせ、及びその副次的な組み合わせが含まれる。同様に、請求項において、「１つの」あるいは「第１の」要素あるいはそれと同等のものを記載する場合、そのような請求項は、１つあるいは複数のそのような要素を包含するものと理解されるべきであり、２つ以上の当該要素を要求あるいは除外するものではない。
【図面の簡単な説明】
【０１１５】
【図１】一体型マイクロ流体カートリッジが例示的な制御装置と係合するように位置合わせされ、制御装置がサンプル処理及び／又は分析時に、接続されたカートリッジに電源を供給し且つその動作を制御するように構成されている、本発明の一実施形態によるマイクロ流体システムの等角図
【図２】図１記載のカートリッジ及び制御装置の特定の態様を示す部分断面図
【図３】本発明の一実施形態による、流体、サンプル、電気、デジタル情報及び検出された信号の動きを示す、図１記載のカートリッジ及び制御装置の概略図
【図４】本発明の一実施形態による、図１記載のカートリッジ及び制御装置の動作に関する例示的な方法を示すフローチャート
【図５】図４記載の方法を実行するための流体ネットワークを示す、図１及び図３記載のカートリッジのさらに詳細な概略図
【図６】サンプルを取り込んでいる最中の、図５記載のカートリッジの活動領域を強調した概略図
【図７】フィルタスタック上で核酸を単離するためにサンプルを処理している最中の、図５記載のカートリッジの活動領域を強調した概略図
【図８】フィルタスタックから核酸を遊離し、遊離された核酸をカートリッジの検定部において濃縮している最中の、図５記載のカートリッジの活動領域を強調した概略図
【図９】濃縮された核酸と増幅試薬とが平衡であり、検定部の増幅チャンバに移送している最中の、図５記載のカートリッジの活動領域を強調した概略図
【図１０】選択増幅後に、核酸を検定部の検定チャンバに移送している最中の、図５記載のカートリッジの活動領域を強調した概略図
【図１１】本発明の一実施形態による、検定部の特定の態様を示す、カートリッジの外側から見た、図１及び図５記載のカートリッジに含まれる検定部の平面図
【図１２】本発明の一実施形態による、図１及び図５記載のカートリッジの流体ハンドリング部に取り付けられた状態を示す、図１１の線１２−１２に沿って見た、図１１記載の検定部の部分断面図
【図１３】図１２記載の検定部を製造すべく、変性されている際の、基材の部分断面図
【図１４】図１２記載の検定部を製造すべく、変性されている際の、基材の部分断面図
【図１５】図１２記載の検定部を製造すべく、変性されている際の、基材の部分断面図
【図１６】図１２記載の検定部を製造すべく、変性されている際の、基材の部分断面図
【図１７】図１２記載の検定部を製造すべく、変性されている際の、基材の部分断面図
【図１８】図１２記載の検定部を製造すべく、変性されている際の、基材の部分断面図
【図１９】図１２記載の検定部を製造すべく、変性されている際の、基材の部分断面図
【図２０】本発明の一実施形態による、基材表面に隣接して形成される２つの流体区画を流体連通させるチャネルを示しており、当該チャネルが基材の反対側の表面と通じることなく、表面において基材に出入りすることを示す概略図
【図２１】図２０記載のチャネルを製造すべく、変性されている際の、基材の部分断面図
【図２２】図２０記載のチャネルを製造すべく、変性されている際の、基材の部分断面図
【図２３】図２０記載のチャネルを製造すべく、変性されている際の、基材の部分断面図
【図２４】図２３記載のチャネルの変更形態の部分断面図
【図２５】図２１〜図２３記載の基材の変形形態を用いて検定部内に形成し得る混合チャンバの一実施形態の平面図
【図２６】本発明の一実施形態による、検定チャンバ及び基材画定チャネルに関する、特定の薄膜層の配置を示している、図１２記載の特定の態様のより詳細な図
【図１】
2006504974.tif 000004
【図２】
2006504974.tif 000005
【図３】
2006504974.tif 000006
【図４】
2006504974.tif 000007
【図５】
2006504974.tif 000008
【図６】
2006504974.tif 000009
【図７】
2006504974.tif 000010
【図８】
2006504974.tif 000011
【図９】
2006504974.tif 000012
【図１０】
2006504974.tif 000013
【図１１】
2006504974.tif 000014
【図１２】
2006504974.tif 000015
【図１３】
2006504974.tif 000016
【図１４】
2006504974.tif 000017
【図１５】
2006504974.tif 000018
【図１６】
2006504974.tif 000019
【図１７】
2006504974.tif 000020
【図１８】
2006504974.tif 000021
【図１９】
2006504974.tif 000022
【図２０】
2006504974.tif 000023
【図２１】
2006504974.tif 000024
【図２２】
2006504974.tif 000025
【図２３】
2006504974.tif 000026
【図２４】
2006504974.tif 000027
【図２５】
2006504974.tif 000028
【図２６】
2006504974.tif 000029
【国際調査報告】
2006504974.tif 000030
2006504974.tif 000031
2006504974.tif 000032
2006504974.tif 000033